(57)【要約】  本発明は、対象における心房細動を評価するための方法であって、前記方法が、対象からのサンプル中のＳＰＯＮ−１の量を決定する工程、およびＳＰＯＮ−１の量を参照量と比較する工程を含み、それによって心房細動を評価する、方法に関する。さらに、本発明は、ＳＰＯＮ−１の量に基づいて脳卒中を予測するための方法に関する。
2022501577.tif 000002
【特許請求の範囲】
【請求項１】
対象の心房細動を評価するための方法であって、
ａ）前記対象からの少なくとも１つのサンプルにおいて、バイオマーカーＳＰＯＮ−１（スポンジン−１）の量、および任意選択で、ナトリウム利尿ペプチド、ＥＳＭ−１（エンドカン）、Ａｎｇ２（アンジオポエチン２）およびＩＧＦＢＰ７（インスリン様成長因子結合タンパク質７）からなる群から選択される少なくとも１つのさらなるバイオマーカーの量を決定する工程、および
ｂ）前記バイオマーカーＳＰＯＮ−１の量をＳＰＯＮ−１の参照量と比較する工程、および任意選択で、前記少なくとも１つのさらなるバイオマーカーの量を前記少なくとも１つのさらなるバイオマーカーの参照量と比較する工程を含み、それによって心房細動を評価する、方法。
【請求項２】
前記サンプルが血液、血清もしくは血漿サンプルであり、かつ／または前記対象がヒトである、請求項１に記載の方法。
【請求項３】
前記心房細動の評価が心房細動の診断であり、特に、前記参照量を超えるＳＰＯＮ−１の量、および任意選択で前記少なくとも１つのさらなるバイオマーカーの量が、心房細動に罹患している対象の指標であり、かつ／または前記参照量以下のＳＰＯＮ−１の量、および任意選択で前記少なくとも１つのさらなるバイオマーカーの量が、心房細動に罹患していない対象の指標である、請求項１または２に記載の方法。
【請求項４】
前記対象が心房細動に罹患しており、前記心房細動の評価が発作性心房細動と持続性心房細動との区別であり、特に、前記参照量を超えるＳＰＯＮ−１の量、および任意選択で前記少なくとも１つのさらなるバイオマーカーの量が、持続性心房細動に罹患している対象の指標であり、かつ／または前記参照量以下のＳＰＯＮ−１の量、および任意選択で前記少なくとも１つのさらなるバイオマーカーの量が、発作性心房細動に罹患している対象の指標である、請求項１または２に記載の方法。
【請求項５】
前記心房細動の評価が、心房細動に関連する有害事象のリスクの予測である、請求項１または２に記載の方法。
【請求項６】
前記心房細動に関連する有害事象が、心房細動の再発および／または脳卒中である、請求項５に記載の方法。
【請求項７】
前記参照量を超えるＳＰＯＮ−１の量、および任意選択で前記少なくとも１つのさらなるバイオマーカーの量が、心房細動に関連する有害事象に罹患するリスクがある対象の指標であり、かつ／または前記参照量以下のＳＰＯＮ−１の量、および任意選択で前記少なくとも１つのさらなるバイオマーカーの量が、心房細動に関連する有害事象に罹患するリスクがない対象の指標である、請求項５および６に記載の方法。
【請求項８】
前記心房細動の評価が心電図検査（ＥＣＧ）を受けるべき対象の特定であるか、または前記心房細動の評価が心房細動の治療の評価、例えば抗凝固療法の評価である、請求項１または２に記載の方法。
【請求項９】
対象の脳卒中のリスクを予測する方法であって、
（ａ）前記対象からの少なくとも１つのサンプルにおいて、バイオマーカーＳＰＯＮ−１（スポンジン−１）の量、および任意選択で、ナトリウム利尿ペプチド、ＥＳＭ−１（エンドカン）、Ａｎｇ２（アンジオポエチン２）およびＩＧＦＢＰ７（インスリン様成長因子結合タンパク質７）からなる群から選択される少なくとも１つのさらなるバイオマーカーの量を決定する工程、および
（ｂ）前記対象の臨床的脳卒中リスクスコアを評価する工程、および
（ｃ）工程ａ）およびｂ）の結果に基づいて、脳卒中のリスクを予測する工程を含む、方法。
【請求項１０】
対象の臨床的脳卒中リスクスコアの予測精度を改善する方法であって、
ａ）既知の臨床的脳卒中リスクスコアを有する対象からの少なくとも１つのサンプルにおいて、バイオマーカーＳＰＯＮ−１（スポンジン−１）の量、および任意選択で、ナトリウム利尿ペプチド、ＥＳＭ−１（エンドカン）、Ａｎｇ２（アンジオポエチン２）およびＩＧＦＢＰ７（インスリン様成長因子結合タンパク質７）からなる群から選択される少なくとも１つのさらなるバイオマーカーの量を決定する工程、および
ｂ）ＳＰＯＮ−１の量および／またはナトリウム利尿ペプチド、ＥＳＭ−１、ＡＮＧＴ２、ＩＧＦＢＰ７を含む１つ以上のバイオマーカーの量の値を前記臨床的脳卒中リスクスコアと組み合わせる工程を含み、それによって前記臨床的脳卒中リスクスコアの予測精度を改善する、方法。
【請求項１１】
心房細動の評価を支援する方法であって、
ａ）対象からの少なくとも１つのサンプルを提供する工程、
ｂ）工程ａ）で提供された少なくとも１つのサンプルにおいて、バイオマーカーＳＰＯＮ−１（スポンジン−１）の量、および任意選択で、ナトリウム利尿ペプチド、ＥＳＭ−１（エンドカン）、Ａｎｇ２およびＩＧＦＢＰ７（インスリン様成長因子結合タンパク質７）からなる群から選択される少なくとも１つのさらなるバイオマーカーの量を決定する工程、および
ｃ）前記バイオマーカーＳＰＯＮ−１の決定された量に関する情報、および任意選択で、前記少なくとも１つのさらなるバイオマーカーの決定された量に関する情報を医師に提供する工程を含み、それによって心房細動の評価を支援する、方法。
【請求項１２】
心房細動の評価を支援するための方法であって、
ａ）バイオマーカーＳＰＯＮ−１のアッセイ、および任意選択で、ナトリウム利尿ペプチド、ＥＳＭ−１（エンドカン）、Ａｎｇ２およびＩＧＦＢＰ７（インスリン様成長因子結合タンパク質７）からなる群から選択されるさらなるバイオマーカーの少なくとも１つのさらなるアッセイを提供すること、および
ｂ）前記心房細動の評価における前記アッセイによって得られた、または得られ得るアッセイ結果の使用についての指示を提供することを含む、方法。
【請求項１３】
心房細動を評価するためのコンピュータ実装方法であって、
ａ）処理ユニットで、対象からのサンプルにおいて決定されたＳＰＯＮ−１の量の値、および任意選択で、ナトリウム利尿ペプチド、ＥＳＭ−１（エンドカン）、Ａｎｇ２およびＩＧＦＢＰ７（インスリン様成長因子結合タンパク質７）からなる群から選択される少なくとも１つのさらなるバイオマーカーの量の少なくとも１つのさらなる値を受け取ること、
ｂ）前記処理ユニットによって、工程（ａ）で受け取った１つまたは複数の値を１つまたは複数の参照と比較すること、および
ｃ）比較工程ｂ）に基づいて心房細動を評価することを含む、方法。
【請求項１４】
ＳＰＯＮ−１に特異的に結合する薬剤と、ナトリウム利尿ペプチドに特異的に結合する薬剤、ＥＳＭ−１に特異的に結合する薬剤、Ａｎｇ２に特異的に結合する薬剤およびＩＧＦＢＰ７に特異的に結合する薬剤からなる群から選択される少なくとも１つのさらなる薬剤とを含む、キット。
【請求項１５】
インビトロ使用であって、
ｉ）バイオマーカーＳＰＯＮ−１、および任意選択で、ナトリウム利尿ペプチド、ＥＳＭ−１（エンドカン）、Ａｎｇ２およびＩＧＦＢＰ７（インスリン様成長因子結合タンパク質７）からなる群から選択される少なくとも１つのバイオマーカー、ならびに／または
ｉｉ）ＳＰＯＮ−１に特異的に結合する少なくとも１つの薬剤、および任意選択で、ナトリウム利尿ペプチドに特異的に結合する薬剤、ＥＳＭ−１に特異的に結合する薬剤、Ａｎｇ２に特異的に結合する薬剤およびＩＧＦＢＰ７に特異的に結合する薬剤からなる群から選択される少なくとも１つのさらなる薬剤の、
ａ）心房細動の評価、ｂ）対象の脳卒中のリスクの予測、およびｃ）臨床的脳卒中リスクスコアの予測精度の改善のための、インビトロ使用。
【発明の詳細な説明】
【技術分野】
【０００１】
本発明は、対象における心房細動を評価するための方法であって、前記方法が、対象からのサンプル中のＳＰＯＮ−１の量を決定する工程、およびＳＰＯＮ−１の量を参照量と比較する工程とを含み、それによって心房細動を評価する、方法に関する。さらに、本発明は、ＳＰＯＮ−１の量に基づいて脳卒中を予測するための方法に関する。
【背景技術】
【０００２】
心房細動（ＡＦ）は、最も一般的なタイプの心不整脈であり、高齢者の間で最も蔓延している状態の１つである。心房細動は、不規則な心臓の拍動を特徴とし、短時間の異常な拍動から始まることが多く、時間の経過とともに増加し、永続性の状態となる可能性がある。米国では推定２７０〜６１０万人が心房細動を発症し、全世界で約３３００万人が心房細動を発症している（Ｃｈｕｇｈ  Ｓ．Ｓ．ｅｔ  ａｌ．，Ｃｉｒｃｕｌａｔｉｏｎ  ２０１４；１２９：８３７−４７）。
【０００３】
心房細動などの心不整脈の診断には、通常、不整脈の原因の特定、および不整脈の分類が含まれる。米国心臓病学会（ＡＣＣ）、米国心臓協会（ＡＨＡ）、および欧州心臓病学会（ＥＳＣ）による心房細動の分類のガイドラインは、主に単純性および臨床的関連性に基づいている。第１のカテゴリーは、「最初に検出されたＡＦ」と呼ばれる。このカテゴリーの人々は、初めてＡＦと診断され、過去に検出されなかったエピソードがあったかどうかは不明である。最初に検出されたエピソードは１週間未満で自然に止むが、その後に別のエピソードが続く場合、カテゴリーは「発作性ＡＦ」へと変わる。このカテゴリーの患者のエピソードは最大７日間続くが、発作性心房細動のほとんどのケースでは、エピソードは２４時間未満で止まる。エピソードが１週間を超えて続く場合は、「持続性ＡＦ」に分類される。そのようなエピソードが電気的または薬理学的除細動によって止められず、１年を超えて続く場合、分類は「永続性ＡＦ」に変更される。心房細動は脳卒中および全身性塞栓症の重要な危険因子であるため、心房細動の早期診断が強く望まれている（Ｈａｒｔ  ｅｔ  ａｌ．，Ａｎｎ  Ｉｎｔｅｒｎ  Ｍｅｄ  ２００７，１４６（１２）：８５７−６７；Ｇｏ  ＡＳ  ｅｔ  ａｌ．ＪＡＭＡ  ２００１；２８５（１８）：２３７０−５）。脳卒中は、高所得国における失われた障害調整生存年数の原因として、また世界中の死因として、虚血性心疾患に次いで、２番目となっている。脳卒中のリスクを低減するためには、抗凝固療法が最も適切な治療法と考えられる。
【０００４】
心房細動の評価および脳卒中の予測を可能にするバイオマーカーが、強く望まれる。
【０００５】
Ｌａｔｉｎｉ  Ｒ．ｅｔ  ａｌ．（Ｊ  Ｉｎｔｅｒｎ  Ｍｅｄ．２０１１  Ｆｅｂ；２６９（２）：１６０−７１）は、心房細動を有する患者の様々な循環バイオマーカー（ｈｓＴｎＴ、ＮＴ−ｐｒｏＢＮＰ、ＭＲ−ｐｒｏＡＮＰ、ＭＲ−ｐｒｏＡＤＭ、コペプチン、およびＣＴ−プロエンドセリン−１）を測定した。
【０００６】
スポンジン−１（ＳＰＯＮ−１）は、脊髄と感覚ニューロン細胞との付着、および神経突起の成長をインビトロで促進する細胞接着タンパク質である。（類似性により）脊髄およびＰＮＳの両方の軸索の成長および誘導に寄与し得る。血管平滑筋細胞の主な要素。それは、細胞外マトリックスに位置する神経調節タンパク質であり、血管平滑筋細胞の軸索の成長および誘導において役割を果たすことが示された。（Ｋｌａｒ  ｅｔ  ａｌ．Ｃｅｌｌ、１９９２、Ｖｏｌ．６９、ｐｐ  ９５−１１０）変形性関節症におけるＳＰＯＮ−１の役割は、例えば、Ｔａｎ  ｅｔ  ａｌ．ＢＭＣ  ｓｔｒｕｃｔｕｒａｌ  ｂｉｏｌｏｇｙ，２０１１，Ｖｏｌ．１１，ｐｐ２２）に記載された。
【０００７】
Ｓｔｅｎｅｍｏ  ｅｔ  ａｌ．は、ＵｌｓａｍコホートのＳＰＯＮ−１ベースラインレベルと心エコー検査による左心室収縮機能の悪化の転帰との関連を説明する（Ｓｔｅｎｅｍｏ  ｅｔ  ａｌ．、２０１７、ＥＪＨＦ；２０：１：５５）。
【０００８】
Ｌｉｎｄ  ｅｔ  ａｌ．は、２つの集団コホートでの数年間の追跡調査後に、心房細動を発症するリスクに関するバイオマーカーの特定について説明する（Ｌｉｎｄ  ｅｔ  ａｌ．Ｈｅａｒｔ  ２０１７；１０３：３７７−３８２）。８５のマーカー、とりわけＳＰＯＮ−１が試験された。ＳＰＯＮ−１は、心房細動のリスクに関して有意に関連していないことが示された。
【０００９】
心房細動の診断、心房細動患者のリスク（脳卒中の発生など）階層化、および心房細動の重症度の評価を含む、心房細動の評価のための信頼できる方法が必要である。さらに、脳卒中を予測する方法の改善が強く望まれている。
【００１０】
本発明の根底にある技術的な課題は、上述のニーズに対応する方法の提供としてとらえることができる。この技術的な課題は、以下の特許請求の範囲および本明細書において特徴付けられる実施形態によって、解決される。
【００１１】
有利なことに、対象からのサンプル中のＳＰＯＮ−１の量の決定によって心房細動の評価を改善できることが、本発明の研究の文脈において見出された。本発明によって、例えば、対象が心房細動に罹患しているのか、または脳卒中に罹患するリスクがあるのかを診断できる。
【発明の概要】
【００１２】
本発明は、対象の心房細動を評価するための方法であって、
ａ）対象からの少なくとも１つのサンプルにおいて、バイオマーカーＳＰＯＮ−１（スポンジン１）の量、および任意選択で、ナトリウム利尿ペプチド、ＥＳＭ−１（エンドカン）、Ａｎｇ２（アンジオポエチン２）およびＩＧＦＢＰ７（インスリン様成長因子結合タンパク質７）からなる群から選択される少なくとも１つのさらなるバイオマーカーの量を決定する工程、および
ｂ）バイオマーカーＳＰＯＮ−１の量をＳＰＯＮ−１の参照量と比較する工程、および任意選択で、少なくとも１つのさらなるバイオマーカーの量を前記少なくとも１つのさらなるバイオマーカーの参照量と比較する工程を含み、それによって心房細動を評価する方法に関する。
【００１３】
本発明はさらに、心房細動の評価を支援する方法であって、
ａ）対象からの少なくとも１つのサンプルを提供する工程、
ｂ）工程ａ）で提供された少なくとも１つのサンプルにおいて、バイオマーカーＳＰＯＮ−１（スポンジン１）の量、および任意選択で、ナトリウム利尿ペプチド、ＥＳＭ−１（エンドカン）、Ａｎｇ２およびＩＧＦＢＰ７（インスリン様成長因子結合タンパク質７）からなる群から選択される少なくとも１つのさらなるバイオマーカーの量を決定する工程、および
ｃ）バイオマーカーＳＰＯＮ−１の決定された量に関する情報、および任意選択で、少なくとも１つのさらなるバイオマーカーの決定された量に関する情報を医師に提供する工程を含み、それによって心房細動の評価を支援する方法に関する。
【００１４】
さらに、本発明は、心房細動の評価を支援するための方法であって、
ａ）バイオマーカーＳＰＯＮ−１のアッセイ、および任意選択で、ナトリウム利尿ペプチド、ＥＳＭ−１（エンドカン）、Ａｎｇ２およびＩＧＦＢＰ７（インスリン様成長因子結合タンパク質７）からなる群から選択されるさらなるバイオマーカーの少なくとも１つのさらなるアッセイを提供すること、および
ｂ）心房細動の評価における上記アッセイによって得られた、または得られ得るアッセイ結果の使用についての指示を提供することを含む、方法を企図する。
【００１５】
また、本発明は、心房細動を評価するためのコンピュータ実装方法であって、
ａ）処理ユニットで、対象からのサンプルにおいて決定されたＳＰＯＮ−１の量の値、および任意選択で、ナトリウム利尿ペプチド、ＥＳＭ−１（エンドカン）、Ａｎｇ２およびＩＧＦＢＰ７（インスリン様成長因子結合タンパク質７）からなる群から選択される少なくとも１つのさらなるバイオマーカーの量の少なくとも１つのさらなる値を受信すること、
ｂ）前記処理ユニットによって、工程ａ）で受信した１つまたは複数の値を１つまたは複数の参照と比較すること、および
ｃ）比較工程ｂ）に基づいて心房細動を評価すること、を含む方法を含有する。
【００１６】
本発明はさらに、対象の脳卒中のリスクを予測する方法であって、
（ａ）対象からの少なくとも１つのサンプルにおいて、バイオマーカーＳＰＯＮ−１（スポンジン−１）の量、および任意選択で、ナトリウム利尿ペプチド、ＥＳＭ−１（エンドカン）、Ａｎｇ２（アンジオポエチン２）およびＩＧＦＢＰ７（インスリン様成長因子結合タンパク質７）からなる群から選択される少なくとも１つのさらなるバイオマーカーの量を決定する工程、および
（ｂ）前記対象の臨床的脳卒中リスクスコアを評価する工程、および
（ｃ）工程ａ）およびｂ）の結果に基づいて、脳卒中のリスクを予測する工程を含む、方法に関する。
【００１７】
本発明はさらに、対象の臨床的脳卒中リスクスコアの予測精度を改善する方法であって、
ａ）既知の臨床的脳卒中リスクスコアを有する対象からの少なくとも１つのサンプルにおいて、バイオマーカーＳＰＯＮ−１（スポンジン−１）の量、および任意選択で、ナトリウム利尿ペプチド、ＥＳＭ−１（エンドカン）、Ａｎｇ２（アンジオポエチン２）およびＩＧＦＢＰ７（インスリン様成長因子結合タンパク質７）からなる群から選択される少なくとも１つのさらなるバイオマーカーの量を決定する工程、および
ｂ）ＳＰＯＮ−１の量、および／またはナトリウム利尿ペプチド、ＥＳＭ−１、ＡＮＧＴ２、ＩＧＦＢＰ７を含む１つ以上のバイオマーカーの量の値を臨床的脳卒中リスクスコアと組み合わせる工程を含み、それによって前記臨床的脳卒中リスクスコアの予測精度を改善する方法に関する。
【００１８】
本発明はさらに、ＳＰＯＮ−１に特異的に結合する薬剤と、ナトリウム利尿ペプチドに特異的に結合する薬剤、ＥＳＭ−１に特異的に結合する薬剤、Ａｎｇ２に特異的に結合する薬剤およびＩＧＦＢＰ７に特異的に結合する薬剤からなる群から選択される少なくとも１つのさらなる薬剤とを含むキットに関する。
【００１９】
さらに、本発明は、
ｉ）バイオマーカーＳＰＯＮ−１、および任意選択で、ナトリウム利尿ペプチド、ＥＳＭ−１（エンドカン）、Ａｎｇ２およびＩＧＦＢＰ７（インスリン様成長因子結合タンパク質７）からなる群から選択される少なくとも１つのバイオマーカー、ならびに／または
ｉｉ）ＳＰＯＮ−１に特異的に結合する少なくとも１つの薬剤、および任意選択で、ナトリウム利尿ペプチドに特異的に結合する薬剤、ＥＳＭ−１に特異的に結合する薬剤、Ａｎｇ２に特異的に結合する薬剤およびＩＧＦＢＰ７に特異的に結合する薬剤からなる群から選択される少なくとも１つのさらなる薬剤の、
ａ）心房細動の評価、ｂ）対象の脳卒中のリスクの予測、およびｃ）臨床的脳卒中リスクスコアの予測精度の改善のための、インビトロ使用に関する。
【発明を実施するための形態】
【００２０】
本発明は、対象の心房細動を評価するための方法であって、
ａ）対象からの少なくとも１つのサンプルにおいて、バイオマーカーＳＰＯＮ−１（スポンジン−１）の量を決定する工程、および
ｂ）バイオマーカーＳＰＯＮ−１の量をＳＰＯＮ−１の参照量と比較する工程を含み、それによって心房細動を評価する方法に関する。
【００２１】
本発明の方法の一実施形態では、この方法は、工程ａ）の対象からのサンプル中において、ナトリウム利尿ペプチド、ＥＳＭ−１（エンドカン）、Ａｎｇ２（アンジオポエチン２）およびＩＧＦＢＰ７（インスリン様成長因子結合タンパク質７）からなる群から選択される少なくとも１つのさらなるバイオマーカーの量を決定すること、および少なくとも１つのさらなるバイオマーカーの量を、工程ｂ）の参照量と比較することをさらに含む。
【００２２】
したがって、本発明は、対象の心房細動を評価するための方法であって、
ａ）対象からの少なくとも１つのサンプルにおいて、バイオマーカーＳＰＯＮ−１（スポンジン−１）の量、および任意選択で、ナトリウム利尿ペプチド、ＥＳＭ−１（エンドカン）、Ａｎｇ２（アンジオポエチン２）およびＩＧＦＢＰ７（インスリン様成長因子結合タンパク質７）からなる群から選択される少なくとも１つのさらなるバイオマーカーの量を決定する工程、および
ｂ）バイオマーカーＳＰＯＮ−１の量をＳＰＯＮ−１の参照量と比較する工程、および任意選択で、少なくとも１つのさらなるバイオマーカーの量を前記少なくとも１つのさらなるバイオマーカーの参照量と比較する工程を含み、それによって心房細動を評価する方法に関する。
【００２３】
心房細動（ＡＦ）の評価は、比較工程ｂ）の結果に基づくものとする。
【００２４】
したがって、本発明の方法は、好ましくは、
ａ）対象からの少なくとも１つのサンプルにおいて、バイオマーカーＳＰＯＮ−１（スポンジン−１）の量、および任意選択で、ナトリウム利尿ペプチド、ＥＳＭ−１（エンドカン）、Ａｎｇ２（アンジオポエチン２）およびＩＧＦＢＰ７（インスリン様成長因子結合タンパク質７）からなる群から選択される少なくとも１つのさらなるバイオマーカーの量を決定する工程、
ｂ）バイオマーカーＳＰＯＮ−１の量をＳＰＯＮ−１の参照量と比較する工程、および任意選択で、少なくとも１つのさらなるバイオマーカーの量を前記少なくとも１つのさらなるバイオマーカーの参照量と比較する工程、および
ｃ）比較工程ｂ）の結果に基づいて心房細動を評価する工程を含む。
【００２５】
本発明によって言及される方法は、本質的に上述の工程からなる方法、またはさらなる工程を含む方法、を含む。さらに、本発明の方法は、好ましくは、エクスビボ、より好ましくはインビトロの方法である。さらに、それは、上記で明示的に述べられたものに加えた工程を含んでもよい。例えば、さらなる工程では、さらにマーカーを決定したり、および／または治療前のサンプルを採取したり、その方法で得られた結果を評価したりし得る。この方法は、手動で実行しても、自動化によって支援してもよい。好ましくは、工程（ａ）、（ｂ）および／または（ｃ）は、全体的または部分的に、自動化によって、例えば、工程（ａ）における決定または工程（ｂ）におけるコンピュータ実装計算のため、適切なロボットおよび感覚的機器によって、支援されてもよい。
【００２６】
本発明に従って、心房細動が評価されるものとする。本明細書で使用される「心房細動を評価する」という用語は、好ましくは、心房細動の診断、発作性心房細動と持続性心房細動との区別、心房細動に関連する有害事象（脳卒中など）のリスクの予測、心電図検査（ＥＣＧ）を受けるべき対象の特定、または心房細動の治療の評価を指す。
【００２７】
当業者によって理解されるように、本発明の評価は、通常、試験される対象の１００％について正しいことを意図するものではない。この用語は、好ましくは、対象の統計的に有意な部分に対して、正しい評価（例えば、本明細書でいう治療の診断、区別、予測、特定、または評価）を行うことができること、を必要とする。部分が統計的に有意であるかどうかは、信頼区間の決定、ｐ値の決定、スチューデントのｔ検定、マン−ホイットニー検定などの様々な周知の統計評価ツールを使用して、当業者がすぐさま決定することができる。詳細は、Ｄｏｗｄｙ  ａｎｄ  Ｗｅａｒｄｅｎ、Ｓｔａｔｉｓｔｉｃｓ  ｆｏｒ  Ｒｅｓｅａｒｃｈ、Ｊｏｈｎ  Ｗｉｌｅｙ＆Ｓｏｎｓ、Ｎｅｗ  Ｙｏｒｋ  １９８３に記載されている。好ましい信頼区間は、少なくとも９０％、少なくとも９５％、少なくとも９７％、少なくとも９８％、または少なくとも９９％である。ｐ値は、好ましくは、０．４、０．１、０．０５、０．０１、０．００５、または０．０００１である。
【００２８】
本発明によれば、「心房細動の評価」という表現は、心房細動の評価の支援として、したがって心房細動の診断の支援として、発作性心房細動と持続性心房細動との区別の支援として、心房細動に関連する有害事象のリスク予測の支援として、心電図検査（ＥＣＧ）を受けるべき対象の特定の支援として、または心房細動の治療の評価の支援として理解される。最終的な診断は、原則として医師が行う。
【００２９】
本発明の好ましい実施形態では、心房細動の評価は、心房細動の診断である。したがって、対象が心房細動に罹患しているか否かが診断される。
【００３０】
したがって、本発明は、対象の心房細動を診断する方法であって、
ａ）対象からのサンプル中のＳＰＯＮ−１の量を決定する工程、および
ｂ）ＳＰＯＮ−１の量を参照量と比較する工程を含み、それによって心房細動を診断する方法を想定する。
【００３１】
一実施形態では、前述の方法は、
（ａ）対象からの少なくとも１つのサンプルにおいて、バイオマーカーＳＰＯＮ−１（スポンジン−１）の量、および任意選択で、ナトリウム利尿ペプチド、ＥＳＭ−１（エンドカン）、Ａｎｇ２（アンジオポエチン２）およびＩＧＦＢＰ７（インスリン様成長因子結合タンパク質７）からなる群から選択される少なくとも１つのさらなるバイオマーカーの量を決定する工程、および
（ｂ）バイオマーカーＳＰＯＮ−１の量をＳＰＯＮ−１の参照量と比較する工程、および任意選択で、少なくとも１つのさらなるバイオマーカーの量を前記少なくとも１つのさらなるバイオマーカーの参照量と比較する工程を含み、それによって心房細動を診断する。
【００３２】
好ましくは、心房細動を診断する方法に関連して試験される対象は、心房細動の罹患が疑われる対象である。しかしながら、対象がＡＦに罹患していると以前にすでに診断されていること、および以前の診断が本発明の方法を実施することによって確認されることも企図される。
【００３３】
本発明の別の好ましい実施形態では、心房細動の評価は、発作性心房細動と持続性心房細動との間の区別である。したがって、対象が発作性心房細動または持続性心房細動に罹患しているかどうかが決定される。
【００３４】
したがって、本発明は、対象における発作性心房細動と持続性心房細動とを区別するための方法であって、
ａ）対象からのサンプル中のＳＰＯＮ−１の量を決定する工程、および
ｂ）ＳＰＯＮ−１の量を参照量と比較する工程を含み、それによって発作性心房細動と持続性心房細動とを区別する方法を想定する。
【００３５】
一実施形態では、前述の方法は、
ａ）対象からの少なくとも１つのサンプルにおいて、バイオマーカーＳＰＯＮ−１（スポンジン−１）の量、および任意選択で、ナトリウム利尿ペプチド、ＥＳＭ−１（エンドカン）、Ａｎｇ２（アンジオポエチン２）およびＩＧＦＢＰ７（インスリン様成長因子結合タンパク質７）からなる群から選択される少なくとも１つのさらなるバイオマーカーの量を決定する工程、および
ｂ）バイオマーカーＳＰＯＮ−１の量をＳＰＯＮ−１の参照量と比較する工程、および任意選択で、少なくとも１つのさらなるバイオマーカーの量を前記少なくとも１つのさらなるバイオマーカーの参照量と比較する工程を含み、それによって発作性心房細動と持続性心房細動とを区別する。
【００３６】
本発明の別の好ましい実施形態では、心房細動の評価は、心房細動に関連する有害事象（脳卒中など）のリスクの予測である。したがって、対象が前記有害事象のリスクがあるかどうか、および／またはリスクがないかどうかが予測される。
【００３７】
したがって、本発明は、対象における心房細動に関連する有害事象のリスクを予測する方法であって、
ａ）対象からのサンプル中のＳＰＯＮ−１の量を決定する工程、および
ｂ）ＳＰＯＮ−１の量を参照量と比較する工程を含み、それによって心房細動に関連する有害事象のリスクを予測する方法を想定する。
【００３８】
一実施形態では、前述の方法は、
ａ）対象からの少なくとも１つのサンプルにおいて、バイオマーカーＳＰＯＮ−１（スポンジン−１）の量、および任意選択で、ナトリウム利尿ペプチド、ＥＳＭ−１（エンドカン）、Ａｎｇ２（アンジオポエチン２）およびＩＧＦＢＰ７（インスリン様成長因子結合タンパク質７）からなる群から選択される少なくとも１つのさらなるバイオマーカーの量を決定する工程、および
ｂ）バイオマーカーＳＰＯＮ−１の量をＳＰＯＮ−１の参照量と比較する工程、および任意選択で、少なくとも１つのさらなるバイオマーカーの量を前記少なくとも１つのさらなるバイオマーカーの参照量と比較する工程を含み、それによって心房細動に関連する有害事象のリスクを予測する。
【００３９】
様々な有害事象を予測できることが想定される。予測される有害事象は、好ましくは脳卒中である。
【００４０】
したがって、本発明は、特に、対象の脳卒中のリスクを予測する方法であって、
ａ）対象からのサンプル中のＳＰＯＮ−１の量を決定する工程、および
ｂ）ＳＰＯＮ−１の量を参照量と比較する工程を含み、それによって脳卒中のリスクを予測する方法を企図する。
【００４１】
前述の方法は、工程ｂ）の比較結果に基づいて脳卒中を予測する工程ｃ）をさらに含み得る。したがって、工程ａ）、ｂ）、ｃ）は、好ましくは以下の通りである。
【００４２】
ａ）対象からのサンプル中のＳＰＯＮ−１の量を決定する工程、および
ｂ）ＳＰＯＮ−１の量を参照量と比較する工程、および
ｃ）工程ｂ）の比較結果に基づいて脳卒中を予測する工程。
【００４３】
本発明の別の好ましい実施形態では、心房細動の評価は、心房細動の治療の評価である。
【００４４】
したがって、本発明は、対象における心房細動の治療を評価するための方法であって、
ａ）対象からのサンプル中のＳＰＯＮ−１の量を決定する工程、および
ｂ）ＳＰＯＮ−１の量を参照量と比較する工程を含み、それによって心房細動の治療を評価する方法を想定する。
【００４５】
一実施形態では、前述の方法は、
ａ）対象からの少なくとも１つのサンプルにおいて、バイオマーカーＳＰＯＮ−１（スポンジン−１）の量、および任意選択で、ナトリウム利尿ペプチド、ＥＳＭ−１（エンドカン）、Ａｎｇ２（アンジオポエチン２）およびＩＧＦＢＰ７（インスリン様成長因子結合タンパク質７）からなる群から選択される少なくとも１つのさらなるバイオマーカーの量を決定する工程、および
ｂ）バイオマーカーＳＰＯＮ−１の量をＳＰＯＮ−１の参照量と比較する工程、および任意選択で、少なくとも１つのさらなるバイオマーカーの量を前記少なくとも１つのさらなるバイオマーカーの参照量と比較する工程を含み、それによって心房細動の治療を評価する。
【００４６】
好ましくは、前述の区別、前述の予測、および心房細動の治療の評価に関連する対象は、心房細動に罹患している、特に心房細動に罹患していることが知られている（したがって、心房細動の既知の病歴を有する）対象である。しかしながら、前述の予測方法に関して、対象が心房細動の既知の病歴を有していないことも想定される。
【００４７】
本発明の別の好ましい実施形態では、心房細動の評価は、心電図検査（ＥＣＧ）を受けるべき対象の特定である。したがって、誰が心電図検査を受けるべきかを特定する。
【００４８】
この方法は、
ａ）対象からの少なくとも１つのサンプルにおいて、バイオマーカーＳＰＯＮ−１（スポンジン−１）の量、および任意選択で、ナトリウム利尿ペプチド、ＥＳＭ−１（エンドカン）、Ａｎｇ２（アンジオポエチン２）およびＩＧＦＢＰ７（インスリン様成長因子結合タンパク質７）からなる群から選択される少なくとも１つのさらなるバイオマーカーの量を決定する工程、および
ｂ）バイオマーカーＳＰＯＮ−１の量をＳＰＯＮ−１の参照量と比較する工程、および任意選択で、少なくとも１つのさらなるバイオマーカーの量を前記少なくとも１つのさらなるバイオマーカーの参照量と比較する工程を含み得、それによって心電図検査を受けるべき対象を特定する。
【００４９】
好ましくは、心電図検査を受けるべき対象を特定する前述の方法に関連する対象は、心房細動の既知の病歴を有さない対象である。「心房細動の既知の病歴がない」という表現は、本明細書の他の場所で定義されている。
【００５０】
本発明の別の好ましい実施形態では、心房細動の評価は、対象の抗凝固療法の有効性の評価である。したがって、前記療法の有効性が評価される。
【００５１】
本発明の別の好ましい実施形態では、心房細動の評価は、対象における脳卒中のリスクの予測である。したがって、本明細書で言及される対象に、脳卒中のリスクがあるか否かが予測される。
【００５２】
本発明の別の好ましい実施形態では、心房細動の評価は、少なくとも１つの抗凝固薬の投与に適格であるか、または少なくとも１つの抗凝固薬の投与量を増やすのに適格である対象の特定である。したがって、対象が前記投与および／または前記投与量の増加に適格であるかどうかが評価される。
【００５３】
本発明の別の好ましい実施形態では、心房細動の評価は、抗凝固療法のモニタリングである。したがって、対象が前記療法に反応するか否かが評価される。
【００５４】
「心房細動」（「略して」ＡＦまたはＡＦｉｂ）という用語は、当技術分野でよく知られている。本明細書で使用される場合、この用語は、好ましくは、心房の機械的機能の結果としての悪化を伴う非協調的な心房活性化を特徴とする、上室性頻脈性不整脈を指す。特に、この用語は、急速で不規則な鼓動を特徴とする異常な心臓のリズムを指す。それは、心臓の２つの上部房と関連する。正常な心臓のリズムでは、洞房結節によって生成されたインパルスが心臓全体に広がり、心筋の収縮と血液のポンピングを引き起こす。心房細動では、洞房結節の規則的な電気インパルスが、不規則な心拍を引き起こす、無秩序で急速な電気インパルスに置き換えられる。心房細動の症状は、心臓の動悸、失神、息切れ、または胸痛である。ただし、ほとんどのエピソードには症状がない。心電図では、心房細動は、振幅、形状、およびタイミングが変化する急速な振動または細動波による均一なＰ波の置換を特徴とし、心房室伝導が正常な場合に、不規則に頻繁に心室応答が速くなることに関連する。
【００５５】
米国心臓病学会（ＡＣＣ）、米国心臓協会（ＡＨＡ）、および欧州心臓病学会（ＥＳＣ）は、次の分類システムを提案する（これとともに、その全体が参考として組み込まれるＦｕｓｔｅｒ  Ｖ．ｅｔ  ａｌ．，Ｃｉｒｃｕｌａｔｉｏｎ  ２００６；１１４（７）：ｅ２５７−３５４を参照のこと、例えば、文書中図３を参照のこと）。最初に検出されたＡＦ、発作性ＡＦ、持続性ＡＦ、および永続性ＡＦ。
【００５６】
ＡＦがあるすべての人々は、病初では、最初に検出されたＡＦと呼ばれるカテゴリーに属する。ただし、対象は、以前に検出されなかったエピソードを持っている場合と持っていない場合があってもよい。ＡＦが１年を超えて持続し、特に洞調律への転換が起こらない場合（または医学的介入がある場合のみ）、対象は永続性心房細動に罹患している。ＡＦが７日を超えて続く場合、対象は持続性ＡＦに罹患している。対象は、心房細動を止めるために、薬理学的または電気的介入のいずれかを必要とする場合がある。好ましくは、持続性ＡＦはエピソードで発生するが、不整脈は、通常自然には（つまり、医学的介入なしで）洞調律に戻らない。発作性心房細動は、好ましくは、最大７日間続く心房細動の断続的なエピソードを指す。発作性ＡＦのほとんどの場合、エピソードが続くのは、２４時間未満である。心房細動のエピソードは、自然に、つまり医学的介入なしに終了する。したがって、発作性心房細動のエピソードは、好ましくは自然に終了するが、持続性心房細動のエピソードは、好ましくは自然に終了しない。好ましくは、持続性心房細動は、終了させるために、電気的もしくは薬理学的電気除細動、またはアブレーション治療などの他の方法を必要とする（Ｆｕｓｔｅｒ  Ｖ．ｅｔ  ａｌ．，Ｃｉｒｃｕｌａｔｉｏｎ  ２００６；１１４（７）：ｅ２５７−３５４）。持続性ＡＦおよび発作性ＡＦの両方が再発する可能性があり、それによって発作性ＡＦと持続性ＡＦとの区別がＥＣＧ記録によって提供される。患者が２回以上のエピソードを経験した場合、ＡＦは再発と見なされる。不整脈が自然に終了する場合、ＡＦ、特に再発性ＡＦは発作性に指定される。ＡＦは、７日を超えて続く場合、持続性と指定される。
【００５７】
本発明の好ましい実施形態では、「発作性心房細動」という用語は、自然に終了するＡＦのエピソードとして定義され、前記エピソードは２４時間未満続く。代替の実施形態では、自然に終了するエピソードは、最大７日間続く。
【００５８】
本明細書でいう「対象」は、好ましくは哺乳動物である。哺乳動物としては、家畜動物（例えば、ウシ、ヒツジ、ネコ、イヌ、およびウマ）、霊長類（例えば、ヒト、およびサルなどの非ヒト霊長類）、ウサギ、およびげっ歯類（例えば、マウスおよびラット）が挙げられるが、これらに限定されない。好ましくは、対象は、ヒト対象である。
【００５９】
好ましくは、試験される対象は、任意の年齢であり、より好ましくは、試験される対象は、５０歳以上、より好ましくは６０歳以上、最も好ましくは６５歳以上である。さらに、試験される対象は、７０歳以上であることが想定される。
【００６０】
加えて、試験される対象は、７５歳以上であることが想定される。また、対象は、５０歳〜９０歳の間であってよい。
【００６１】
心房細動を評価する方法の好ましい一実施形態では、試験される対象は、心房細動に罹患しているものとする。したがって、対象は、既知の心房細動の病歴を有するものとする。したがって、対象は、試験サンプル採取の前に心房細動のエピソードを経験したものとし、以前の心房細動のエピソードの少なくとも１つが、例えばＥＣＧによって診断されたものとする。例えば、心房細動の評価が発作性心房細動と持続性心房細動との区別である場合、または心房細動の評価が心房細動に関連する有害事象のリスクの予測である場合、または心房細動の評価が心房細動の治療の評価である場合、対象は心房細動に罹患していることが想定される。
【００６２】
心房細動を評価する方法の別の好ましい実施形態では、例えば心房細動の評価が心房細動の診断、または心電図検査（ＥＣＧ）を受けるべき対象の特定である場合、試験される対象は、心房細動に罹患していることが疑われる。
【００６３】
好ましくは、心房細動の罹患が疑われる対象は、心房細動を評価するための方法を実施する前に、心房細動の少なくとも１つの症状を示した対象である。上記の症状は通常一過性であり、数秒で発生し、同じくらい早く消える可能性がある。心房細動の症状には、めまい、失神、息切れ、特に心臓の動悸が含まれる。好ましくは、対象は、サンプル採取の前の６ヶ月以内に心房細動の少なくとも１つの症状を示した。
【００６４】
代替的または追加的に、心房細動の罹患が疑われる対象は、７０歳以上であるものとする。
【００６５】
好ましくは、心房細動の罹患が疑われる対象は、心房細動の既知の病歴を有さないものとする。
【００６６】
本発明によれば、心房細動の既知の病歴を有さない対象は、好ましくは、過去に、すなわち本発明の方法を実施する前（特に対象からサンプルを採取する前）に心房細動に罹患していると診断されていない対象である。しかしながら、対象は、過去に診断されなかった心房細動のエピソードを有しても、有さなくてもよい。
【００６７】
好ましくは、「心房細動」という用語は、すべてのタイプの心房細動を指す。したがって、この用語は、発作性、持続性、または永続性の心房細動を包含することが好ましい。
【００６８】
しかしながら、本発明の一実施形態では、試験される対象は、永続性心房細動に罹患していない。この実施形態では、「心房細動」という用語は、発作性心房細動および持続性心房細動のみを指す。
【００６９】
しかしながら、本発明の別の実施形態では、試験される対象は、発作性心房細動および永続性心房細動に罹患していない。この実施形態では、「心房細動」という用語は、持続性心房細動のみを指す。
【００７０】
試験される対象は、サンプルの採取時に心房細動のエピソードを経験しても、しなくてもよい。したがって、心房細動の評価の好ましい実施形態では（例えば心房細動の診断では）、対象は、サンプルの採取時に心房細動のエピソードを経験しない。この実施形態では、対象は、サンプルの採取時に正常な洞調律を有するものとする（したがって、洞調律であるものとする）。したがって、心房細動の（一時的な）不在下でも心房細動の診断が可能である。本発明の方法によれば、本明細書で言及されるバイオマーカーの上昇は、心房細動のエピソード後に維持され、したがって、心房細動に罹患した対象の診断を提供する。本発明の方法を実施した後（より正確には、サンプルを採取した後）、約３日以内、約１ヶ月以内、約３ヶ月以内、または約６ヶ月以内のＡＦの診断が好ましい。好ましい実施形態では、エピソード後約６ヶ月以内で心房細動の診断が実行可能である。好ましい実施形態では、エピソード後約６ヶ月以内で心房細動の診断が実行可能である。したがって、本明細書で言及される心房細動の評価、特に心房細動の評価に関連して本明細書で言及される診断、リスクの予測、または区別は、心房細動の最後のエピソードから好ましくは約３日後、より好ましくは約１ヶ月後、さらにより好ましくは約３ヶ月後、最も好ましくは約６ヶ月後に実施される。したがって、試験されるサンプルは、心房細動の最後のエピソード後、好ましくは約３日後、より好ましくは約１ヶ月後、さらにより好ましくは約３ヶ月後、最も好ましくは約６ヶ月後に採取されることが想定される。したがって、心房細動の診断は、サンプルが採取される前の好ましくは約３日以内、より好ましくは約３ヶ月以内、最も好ましくは約６ヶ月以内に発生した心房細動のエピソードの診断も包含することが好ましい。
【００７１】
しかしながら、サンプルの採取時に（例えば、脳卒中の予測に関して）、対象が心房細動のエピソードを経験することも想定される。
【００７２】
「サンプル」という用語は、体液のサンプル、分離された細胞のサンプル、または組織や器官からのサンプルを指す。体液のサンプルは、周知の技術によって採取することができ、また血液、血漿、血清、尿、リンパ液、痰、腹水、またはその他の体分泌物もしくはその誘導体のサンプルが含まれる。組織または器官のサンプルは、例えば生検によって、任意の組織または器官から採取してもよい。分離された細胞は、体液または組織または器官から、遠心分離または細胞選別などの分離技術によって、採取してもよい。例えば、バイオマーカーを発現または産生する細胞、組織、器官から、細胞、組織、器官のサンプルを採取してもよい。サンプルは、凍結されても、生であっても、固定（例えば、ホルマリン固定）されても、遠心分離および／または包埋（例えば、パラフィン包埋）されてもよい。もちろん、細胞サンプルは、サンプル中のバイオマーカーの量を評価する前に、様々な周知の収集後の分取および保管技術（例えば、核酸および／またはタンパク質の抽出、固定、保管、凍結、限外濾過、濃縮、蒸発、遠心分離など）を実施され得る。
【００７３】
本発明の好ましい一実施形態では、サンプルは、血液（すなわち、全血）、血清または血漿サンプルである。血清とは、血液が血餅になった後に採取される全血の液体画分である。血清を採取するためには、血餅を遠心分離によって除去し、上清を収集する。血漿は、血の無細胞流動部分である。血漿サンプルを得るために、全血は、抗凝固剤処理されたチューブ（例えば、クエン酸塩処理またはＥＤＴＡ処理されたチューブ）で収集される。遠心分離により細胞をサンプルから除去し、それから上清（すなわち、血漿サンプル）を採取する。
【００７４】
上記のように、対象はサンプルが採取された時点で、洞調律であっても、または心房細動のエピソード患っていてもよい。
【００７５】
本発明によれば、バイオマーカーＳＰＯＮ１（スポンジン−１）の量を決定するものとする。バイオマーカーは、Ｆ−スポンジン、ｆ−スポンジン、およびＶＳＧＰ／Ｆ−スポンジン（血管平滑筋細胞の成長促進因子）としても知られている。ＳＰＯＮ１は、発達中の脊椎動物の神経系における神経細胞のパターン形成および軸索成長の制御に関係する腹側構造の、ラット胚の底板で最初に同定された。ＳＰＯＮ１は、Ｎ末端リーリンドメイン、スポンジンドメイン、および６つのトロンボスポンジン１型リピートを含む複数のドメインを有する、細胞外マトリックス（ＥＣＭ）タンパク質である。バイオマーカーは、卵巣、肺、腎臓、前立腺、および精巣などの様々な臓器で発現することが知られている。
【００７６】
一実施形態では、ＳＰＯＮ１は、ヒトＳＰＯＮ１である。ヒトＳＰＯＮ１は、８０７アミノ酸長を有する。ヒトＳＰＯＮ１のアミノ酸配列は当技術分野で知られており、例えば、Ｕｎｉｐｒｏｔによって評価することができる（配列については、Ｑ９ＨＣＢ６−１を参照されたい）。ヒトＳＰＯＮ１は、翻訳後に切断される短いシグナルペプチド（アミノ酸１〜２８）を含む。
【００７７】
「ナトリウム利尿ペプチド」という用語は、心房性ナトリウム利尿ペプチド（ＡＮＰ）型および脳性ナトリウム利尿ペプチド（ＢＮＰ）型のペプチドを含む。したがって、本発明によるナトリウム利尿ペプチドは、ＡＮＰ型ペプチドおよびＢＮＰ型ペプチドおよびそれらの変異体を含む（例えば、Ｂｏｎｏｗ  ＲＯ．ｅｔ  ａｌ．，Ｃｉｒｃｕｌａｔｉｏｎ  １９９６；９３：１９４６−１９５０を参照のこと）。
【００７８】
ＡＮＰ型ペプチドには、ｐｒｅ−ｐｒｏＡＮＰ、ｐｒｏＡＮＰ、ＮＴ−ｐｒｏＡＮＰ、およびＡＮＰが含まれる。
【００７９】
ＢＮＰ型ペプチドには、ｐｒｅ−ｐｒｏＢＮＰ、ｐｒｏＢＮＰ、ＮＴ−ｐｒｏＢＮＰ、およびＢＮＰが含まれる。
【００８０】
ｐｒｅ−ｐｒｏペプチド（ｐｒｅ−ｐｒｏＢＮＰの場合は１３４アミノ酸）は、酵素的に切断されてプロペプチド（ｐｒｏＢＮＰの場合は１０８アミノ酸）を放出する短いシグナルペプチドを含む。ｐｒｏペプチドはさらにＮ末端ｐｒｏペプチド（ＮＴ−ｐｒｏペプチド、ＮＴ−ｐｒｏＢＮＰの場合は７６アミノ酸）と活性ホルモン（ＢＮＰの場合は３２アミノ酸、ＡＮＰの場合は２８アミノ酸）とに切断される。
【００８１】
本発明による好ましいナトリウム利尿ペプチドは、ＮＴ−ｐｒｏＡＮＰ、ＡＮＰ、ＮＴ−ｐｒｏＢＮＰ、ＢＮＰである。ＡＮＰおよびＢＮＰは活性ホルモンであり、それぞれの不活性な対応物であるＮＴ−ｐｒｏＡＮＰおよびＮＴ−ｐｒｏＢＮＰよりも半減期が短い。ＢＮＰは血中で代謝されるが、ＮＴ−ｐｒｏＢＮＰは無傷の分子として血中を循環し、腎臓で除去される。
【００８２】
本発明による最も好ましいナトリウム利尿ペプチドは、ＮＴ−ｐｒｏＢＮＰおよびＢＮＰ、特にＮＴ−ｐｒｏＢＮＰである。上で簡単に論じたように、本発明に従って言及されるヒトＮＴ−ｐｒｏＢＮＰは、好ましくは、ヒトＮＴ−ｐｒｏＢＮＰ分子のＮ末端部分に対応する長さ７６アミノ酸を含むポリペプチドである。ヒトＢＮＰおよびＮＴ−ｐｒｏＢＮＰの構造は、先行技術、例えば、国際公開第０２／０８９６５７号、国際公開第０２／０８３９１３号、およびＢｏｎｏｗ  ＲＯ．Ｅｔ  ａｌ．，Ｎｅｗ  Ｉｎｓｉｇｈｔｓ  ｉｎｔｏ  ｔｈｅ  ｃａｒｄｉａｃ  ｎａｔｒｉｕｒｅｔｉｃ  ｐｅｐｔｉｄｅｓ．Ｃｉｒｃｕｌａｔｉｏｎ  １９９６；９３：１９４６−１９５０に、すでに詳細に記載されている。好ましくは、本明細書で使用されるヒトＮＴ−ｐｒｏＢＮＰは、欧州特許第０６４８２２８Ｂ１に開示されるヒトＮＴ−ｐｒｏＢＮＰである。
【００８３】
ＩＧＦＢＰ−７（インスリン様増殖因子結合タンパク質７）は、内皮細胞、血管平滑筋細胞、線維芽細胞、上皮細胞から分泌されることが知られている３０ｋＤａのモジュラー糖タンパク質である（Ｏｎｏ，Ｙ．，ｅｔ  ａｌ、Ｂｉｏｃｈｅｍ  Ｂｉｏｐｈｙｓ  Ｒｅｓ  Ｃｏｍｍ  ２０２（１９９４）１４９０−１４９６）。好ましくは、「ＩＧＦＢＰ−７」という用語は、ヒトＩＧＦＢＰ−７を指す。タンパク質の配列は、当該技術分野で周知であり、例えば、ＵｎｉＰｒｏｔ（Ｑ１６２７０、ＩＢＰ７  ＨＵＭＡＮ）、またはＧｅｎＢａｎｋ（ＮＰ  ００１２４０７６４．１）を介してアクセスできる。バイオマーカーのＩＧＦＢＰ−７の詳細な定義は、例えば、その全体が参照により本明細書に組み込まれる国際公開第２００８／０８９９９４号に提供されている。ＩＧＦＢＰ−７には２つのアイソフォーム、アイソフォーム１および２があり、これらは選択的スプライシングによって生成される。本発明の一実施形態では、両方のアイソフォームの総量が測定される（配列については、ＵｎｉＰｒｏｔデータベースエントリ（Ｑ１６２７０−１およびＱ１６２７０−２）を参照のこと）。
【００８４】
バイオマーカー内皮細胞特異的分子１（略してＥＳＭ−１）は、当技術分野でよく知られている。そのバイオマーカーは、エンドカンと呼ばれることも多い。ＥＳＭ−１は、主にヒトの肺および腎臓組織の内皮細胞で発現する、分泌タンパク質である。パブリックドメインのデータは、甲状腺、肺、腎臓だけでなく、心臓組織でも発現することを示唆しており、例えばＰｒｏｔｅｉｎ  ＡｔｌａｓデータベースのＥＳＭ−１のエントリ（Ｕｈｌeｎ  Ｍ．ｅｔ  ａｌ．、Ｓｃｉｅｎｃｅ  ２０１５；３４７（６２２０）：１２６０４１９）を参照されたい。この遺伝子の発現は、サイトカインによって調節される。ＥＳＭ−１は、２０ｋＤａの成熟ポリペプチドおよび３０ｋＤａのＯ−結合型グリカン鎖で構成されるプロテオグリカンである（Ｂｅｃｈａｒｄ  Ｄ  ｅｔ  ａｌ．、Ｊ  Ｂｉｏｌ  Ｃｈｅｍ  ２００１；２７６（５１）：４８３４１−４８３４９）。本発明の好ましい実施形態では、ヒトＥＳＭ−１ポリペプチドの量は、対象からのサンプルにおいて決定される。ヒトＥＳＭ−１ポリペプチドの配列は、当技術分野でよく知られている（例えば、Ｌａｓｓａｌｅ  Ｐ．ｅｔ  ａｌ．，Ｊ．Ｂｉｏｌ．Ｃｈｅｍ．１９９６；２７１：２０４５８−２０４６４を参照。Ｕｎｉｐｒｏｔデータベースを介して評価することができ、エントリＱ９ＮＱ３０（ＥＳＭ１＿ＨＵＭＡＮ）を参照）。選択的スプライシングによって、ＥＳＭ−１の２つのアイソフォーム、アイソフォーム１（Ｕｎｉｐｒｏｔ識別子Ｑ９ＮＱ３０−１を有する）およびアイソフォーム２（Ｕｎｉｐｒｏｔ識別子Ｑ９ＮＱ３０−２を有する）が生成される。アイソフォーム１は、１８４アミノ酸長を有する。アイソフォーム２では、アイソフォーム１のアミノ酸１０１〜１５０が欠落している。アミノ酸１〜１９は、シグナルペプチド（切断され得る）を形成する。
【００８５】
好ましい実施形態では、ＥＳＭ−１ポリペプチドのアイソフォーム１、すなわち、ＵｎｉＰｒｏｔアクセッション番号Ｑ９ＮＱ３０−１の下に示されるような配列を有するアイソフォーム１の量が決定される。
【００８６】
別の好ましい実施形態では、ＥＳＭ−１ポリペプチドのアイソフォーム２、すなわち、ＵｎｉＰｒｏｔアクセッション番号Ｑ９ＮＱ３０−２の下に示されるような配列を有するアイソフォーム２の量が決定される。
【００８７】
別の好ましい実施形態では、ＥＳＭ−１ポリペプチドのアイソフォーム−１およびアイソフォーム２の量、すなわちＥＳＭ−１の総量が決定される。
【００８８】
例えば、ＥＳＭ−１の量は、ＥＳＭ−１ポリペプチドのアミノ酸８５〜１８４に対するモノクローナル抗体（マウス抗体など）、および／またはヤギポリクローナル抗体を用いて決定され得る。
【００８９】
バイオマーカーのアンジオポエチン−２（略して「Ａｎｇ−２」、しばしばＡＮＧＰＴ２とも呼ばれる）は、当技術分野でよく知られている。これは、Ａｎｇ−１とＴＩＥ２の両方に対する、天然に存在する拮抗薬である（例えば、Ｍａｉｓｏｎｐｉｅｒｒｅ  ｅｔ  ａｌ．，Ｓｃｉｅｎｃｅ  ２７７（１９９７）５５−６０を参照のこと）。タンパク質は、ＡＮＧ−１の不存在下で、ＴＥＫ／ＴＩＥ２のチロシンのリン酸化を誘導できる。ＶＥＧＦなどの血管新生誘発物質が存在しない場合、ＡＮＧ２を介した細胞マトリックス接触の緩みにより、結果として生じる血管退縮を伴う内皮細胞アポトーシスが誘発されることがある。ＶＥＧＦと連携して、内皮細胞の遊走と増殖を促進することがあり、それ故に許容的な血管新生シグナルとして機能する。ヒトのアンジオポエチンの配列は、当該技術分野において周知である。Ｕｎｉｐｒｏｔは、アンジオポエチン−２の３つのアイソフォーム：アイソフォーム１（Ｕｎｉｐｒｏｔ識別子：Ｏ１５１２３−１）、アイソフォーム２（識別子：Ｏ１５１２３−２）およびアイソフォーム３（Ｏ１５１２３−３）を収載する。好ましい実施形態では、アンジオポエチン−２の総量が決定される。この総量は、好ましくは複合型および遊離型のアンジオポエチン−２の量の合計である。
【００９０】
本明細書で言及されるバイオマーカー（ＳＰＯＮ−１またはナトリウム利尿ペプチドなど）の量を「決定する」という用語は、バイオマーカーの定量化、例えば、本明細書の他の場所に記載されている適切な検出方法を使用して、サンプル中のバイオマーカーのレベルを測定することを指す。「測定する」および「決定する」という用語は、本明細書では互換的に使用される。
【００９１】
一実施形態では、バイオマーカーの量は、サンプルをバイオマーカーと特異的に結合する作用物質と接触させ、それにより作用物質と上記バイオマーカーとの間に複合体を形成し、形成された複合体の量を検出し、それから上記バイオマーカーの量を測定することにより、決定される。
【００９２】
本明細書でいうバイオマーカー（ＳＰＯＮ−１など）は、当該技術分野で一般的に知られている方法を使用して検出することができる。検出方法は、一般に、サンプル中のバイオマーカーの量を定量化する方法（定量的方法）を包含する。以下の方法のどれがバイオマーカーの定性的および／または定量的検出に適しているかは、当業者に一般に知られている。サンプルは、例えば、ウエスタン法およびＥＬＩＳＡ、ＲＩＡ、蛍光および発光ベースの免疫学的検定法のような免疫学的検定法、ならびに市販されている近接拡張アッセイを使用して、タンパク質について簡便にアッセイすることができる。バイオマーカーを検出するためのさらに適切な方法は、ペプチドまたはポリペプチドに特異的な物理的または化学的特性、例えば、その正確な分子量またはＮＭＲスペクトルなどを測定することを含む。上記方法は、例えば、バイオセンサー、免疫学的検定法と連結した光学装置、バイオチップ、分析装置、例えば質量分析計、ＮＭＲ分析器、またはクロマトグラフィー装置を含む。さらに、方法には、マイクロプレートＥＬＩＳＡベースの方法、完全自動化またはロボット免疫学的検定（Ｅｌｅｃｓｙｓ（商標）アナライザーなどで利用可能）、ＣＢＡ（酵素的Ｃｏｂａｌｔ  Ｂｉｎｄｉｎｇ  Ａｓｓａｙ、Ｒｏｃｈｅ−Ｈｉｔａｃｈｉ（商標）アナライザーなどで利用可能）、およびラテックス凝集アッセイ（例えば、Ｒｏｃｈｅ−Ｈｉｔａｃｈｉ（商標）アナライザーで使用可能）が含まれる。
【００９３】
本明細書でいうバイオマーカータンパク質の検出については、そのようなアッセイ形式を使用する幅広い免疫学的測定技術が利用可能であり、例えば、米国特許第４，０１６，０４３号明細書、第４，４２４，２７９号明細書、および第４，０１８，６５３号明細書を参照されたい。これらは、従来の競合結合アッセイだけでなく、非競合型の１部位および２部位または「サンドイッチ」アッセイの両方を含む。これらのアッセイは、標識された抗体の標的バイオマーカーへの直接結合も含む。
【００９４】
電気化学発光標識を用いる方法は、周知である。そのような方法は、特殊な金属錯体の能力を利用して、酸化によって、励起状態となり、そこから基底状態へ減衰して、電気化学発光の放出を得る。概説については、Ｒｉｃｈｔｅｒ，Ｍ．Ｍ．，Ｃｈｅｍ．Ｒｅｖ．２００４；１０４：３００３−３０３６を参照のこと。
【００９５】
一実施形態において、バイオマーカーの量を測定するのに使用される検出抗体（またはその抗原結合断片）は、ルテニウム化（ｒｕｔｈｅｎｙｌａｔｅｄ）またはイリジウム化（ｉｒｉｄｉｎｙｌａｔｅｄ）されている。したがって、抗体（またはその抗原結合断片）は、ルテニウム標識を含むものとする。一実施形態において、上記ルテニウム標識は、ビピリジン−ルテニウム（ＩＩ）錯体である。あるいは、抗体（またはその抗原結合断片）は、イリジウム標識を含むものとする。一実施形態において、前記イリジウム標識は、国際公開第２０１２／１０７４１９号で開示される錯体である。
【００９６】
ＳＰＯＮ−１の決定のためのサンドイッチアッセイの実施形態では、アッセイは、（捕捉抗体として）ＳＰＯＮ−１に特異的に結合するビオチン化された第１のモノクローナル抗体、および検出抗体としてＳＰＯＮ−１と特異的に結合するルテニウム化された第２のモノクローナルのＦ（ａｂ’）２−断片を含む。２つの抗体は、サンプル中のＳＰＯＮ−１とサンドイッチ免疫学的測定複合体を形成する。
【００９７】
ナトリウム利尿ペプチドの決定のためのサンドイッチアッセイの実施形態では、アッセイは、（捕捉抗体として）ナトリウム利尿ペプチドに特異的に結合するビオチン化された第１のモノクローナル抗体、および検出抗体としてナトリウム利尿ペプチドと特異的に結合するルテニウム化された第２のモノクローナルのＦ（ａｂ’）２−断片を含む。２つの抗体は、サンプル中のナトリウム利尿ペプチドとサンドイッチ免疫学的測定複合体を形成する。
【００９８】
ポリペプチド（例えば、ＳＰＯＮ−１またはナトリウム利尿ペプチド）の量を測定することは、好ましくは、（ａ）ポリペプチドを上記ポリペプチドと特異的に結合する薬剤と接触させる工程、（ｂ）（任意選択で）結合していない薬剤を除去する工程、（ｃ）結合した結合剤、すなわち工程（ａ）で形成された薬剤の複合体の量を測定する工程、を含んでよい。好ましい実施形態によれば、上記接触工程、除去工程および測定工程は、分析装置ユニットにより実施してもよい。いくつかの実施形態によれば、上記工程は、上記システムの単一の分析装置ユニット、または互いに作動可能に連絡した２つ以上の分析装置ユニットにより実施してもよい。例えば、特定の実施形態によれば、本明細書で開示される上記システムは、上記接触工程および除去工程を実施するための第１の分析装置ユニット、ならびに上記測定工程を実施する輸送ユニット（例えば、ロボットアーム）により、上記第１の分析装置ユニットに作動可能に接続された第２の分析装置ユニットを含んでよい。
【００９９】
バイオマーカーと特異的に結合する薬剤（本明細書では「結合剤」とも呼ばれる）は、結合した薬剤の検出および測定を可能にする標識に、共有結合または非共有結合をしてよい。標識は、直接または間接方法により行ってもよい。直接標識は、標識を結合剤に直接（共有結合または非共有結合で）結合させることを含む。間接標識は、第２の結合剤を第１の結合剤に（共有結合または非共有結合により）結合させることを含む。第２の結合剤は、第１の結合剤に特異的に結合するものとする。上記第２の結合剤は、適切な標識と結合し、および／または第２の結合剤に結合する第３の結合剤の標的（受容体）となり得る。好適な第２の、およびより高次の結合剤は、抗体、二次抗体、および周知のストレプトアビジン−ビオチン系（Ｖｅｃｔｏｒ  Ｌａｂｏｒａｔｏｒｉｅｓ，Ｉｎｃ．）を含んでよい。結合剤または基質は、当該技術分野で公知の１つまたは複数のタグで「タグ付け」されていてもよい。そうすることで、このようなタグは、より高次の結合剤の標的となり得る。好適なタグとしては、ビオチン、ジゴキシゲニン（ｄｉｇｏｘｙｇｅｎｉｎ）、Ｈｉｓ−タグ、グルタチオン−Ｓ−トランスフェラーゼ、ＦＬＡＧ、ＧＦＰ、ｍｙｃ−タグ、インフルエンザＡウイルス赤血球凝集素（ＨＡ）、マルトース結合タンパク質などが挙げられる。ペプチドまたはポリペプチドの場合、タグは、好ましくはＮ末端および／またはＣ末端にある。好適な標識は、適切な検出方法で検出可能な任意の標識である。典型的な標識としては、金粒子、ラテックスビーズ、アクリダンエステル、ルミノール、ルテニウム錯体、イリジウム錯体、酵素的に活性な標識、放射性標識、磁気標識（「例えば磁気ビーズ」、常磁性および超常磁性標識を含む）、および蛍光標識が挙げられる。酵素的に活性な標識としては、例えば、西洋ワサビペルオキシダーゼ、アルカリホスファターゼ、βガラクトシダーゼ、ルシフェラーゼ、およびそれらの誘導体が挙げられる。検出のための好適な基質としては、ジアミノベンジジン（ＤＡＢ）、３，３’−５，５’−テトラメチルベンジジン、ＮＢＴ−ＢＣＩＰ（Ｒｏｃｈｅ  Ｄｉａｇｎｏｓｔｉｃｓから既成品の保存溶液として入手可能な４−ニトロブルーテトラゾリウム塩化物および５−ブロモ−４−クロロ−３−インドリル−リン酸塩）、ＣＤＰ−Ｓｔａｒ（商標）（Ａｍｅｒｓｈａｍ  Ｂｉｏ−ｓｃｉｅｎｃｅｓ）、ＥＣＦ（商標）（Ａｍｅｒｓｈａｍ  Ｂｉｏｓｃｉｅｎｃｅｓ）が挙げられる。適切な酵素−基質の組合せにより、着色された反応産物、蛍光または化学発光が生じてもよく、これは、当該技術分野で公知の方法に従って（例えば感光膜または適切なカメラシステムを使用して）、決定することができる。酵素反応の測定に関しては、上記の基準が同様に適用される。典型的な蛍光標識としては、蛍光タンパク質（例えば、ＧＦＰおよびその誘導体）、Ｃｙ３、Ｃｙ５、テキサスレッド、フルオレセイン、およびＡｌｅｘａ色素（例えばＡｌｅｘａ  ５６８）が挙げられる。さらなる蛍光標識が、例えばＭｏｌｅｃｕｌａｒ  Ｐｒｏｂｅｓ（オレゴン州）から入手可能である。また、蛍光標識としての量子ドットの使用が企図される。放射性標識は、公知かつ好適な、例えば感光膜また���ホスホイメージャー（ｐｈｏｓｐｈｏｒ  ｉｍａｇｅｒ）などの任意の方法により検出され得る。
【０１００】
ポリペプチドの量はまた、好ましくは、以下の通り測定することもできる：（ａ）本明細書の別の箇所で記載されるようなポリペプチド用の結合剤を含む固体支持体を、ペプチドまたはポリペプチドを含むサンプルと接触させること、および（ｂ）支持体に結合したペプチドまたはポリペプチドの量を測定すること。支持体を製造するための物質は、当該技術分野で周知であり、とりわけ、市販のカラム物質、ポリスチレンビーズ、ラテックスビーズ、磁気ビーズ、コロイド金属粒子、ガラスおよび／またはシリコンチップおよび表面、ニトロセルロースストリップ、メンブレン、シート、デュラサイト（ｄｕｒａｃｙｔｅ）、反応トレイのウェルおよび壁、プラスチックチューブなどが挙げられる。
【０１０１】
さらに一態様では、サンプルは、形成された複合体の量を測定する前に、結合剤と少なくとも１つのマーカーとの間に形成された複合体から除去される。したがって、一態様では、結合剤は固体支持体に固定されてもよい。さらなる態様では、洗浄溶液を使用することによって、固体支持体上で形成された複合体からサンプルが除去され得る。
【０１０２】
「サンドイッチアッセイ」は、サンドイッチアッセイ技術の多くのバリエーションを含有する、最も有用で一般的に使用されるアッセイの１つである。簡単に言えば、典型的なアッセイでは、未標識（捕捉）結合剤が固定化されるか、または固体基質上に固定化することができ、試験されるサンプルが捕捉結合剤と接触させられる。結合剤−バイオマーカー複合体を形成させるのに十分な、適切なインキュベーション期間の後、検出可能なシグナルを生成できるレポーター分子で標識された第２の（検出）結合剤を添加し、インキュベーションし、結合剤−バイオマーカー−標識結合剤という別の複合体の形成に十分な時間を確保する。未反応の物質は洗い流されてよく、バイオマーカーの存在は、検出結合剤に結合したレポーター分子により生成されるシグナルの観察により、決定される。結果は、可視シグナルの単純な観察による定性的なものでもよく、既知量のバイオマーカーを含む対照サンプルとの比較による定量的なものであってもよい。
【０１０３】
典型的なサンドイッチアッセイのインキュベーション工程は、必要に応じて適切であるように変更することができる。このような変更には、例えば、２種以上の結合剤およびバイオマーカーがともにインキュベーションされる同時インキュベーションが含まれる。例えば、分析されるサンプルおよび標識された結合剤の両方が、固定化された捕捉結合剤に同時に添加される。また、分析されるサンプルおよび標識された結合剤を最初にインキュベーションし、その後、固相に結合した抗体、または固相に結合することができる抗体を添加することもできる。
【０１０４】
特異的な結合剤とバイオマーカーの間で形成される複合体は、サンプル中に存在するバイオマーカーの量に比例するものとする。適用される結合剤の特異性および／または感度が、サンプル中に含まれる、特異的に結合されうる少なくとも１種のマーカーの割合の程度を定義することが理解されるであろう。測定を実行する方法の詳細については、本明細書の別の箇所にも記載されている。形成された複合体の量は、サンプル中に実際に存在する量を反映するバイオマーカーの量に変換されるものとする。
【０１０５】
「結合剤」、「特異的な結合剤」、「検体に特異的な結合剤」、「検出剤」および「バイオマーカーに特異的に結合する薬剤」という用語は、本明細書では互換可能に使用される。好ましくは、それは、対応するバイオマーカーと特異的に結合する結合部分を含む薬剤に関する。「結合剤」、「検出剤」、「薬剤」の例は、核酸プローブ、核酸プライマー、ＤＮＡ分子、ＲＮＡ分子、アプタマー、抗体、抗体断片、ペプチド、ペプチド核酸（ＰＮＡ）または化学化合物である。好ましい薬剤は、決定されるバイオマーカーに特異的に結合する抗体である。本明細書で使用される「抗体」という用語は、最も広い意味で使用され、モノクローナル抗体、ポリクローナル抗体、多特異性抗体（例えば二重特異性抗体）、および所望の抗原結合活性を示す限り抗体断片（すなわちその抗原結合断片）を含むが、これらに限定されず、様々な抗体構造を包含する。好ましくは、抗体はポリクローナル抗体（または、それからの抗原結合断片）である。より好ましくは、抗体は、モノクローナル抗体（または抗原結合断片であり、したがって、さらに、本明細書の他の箇所で説明するように、（サンドイッチ免疫学的検定において）ＳＰＯＮ−１の異なる位置で結合する２つのモノクローナル抗体が使用されることが想定される。したがって、ＳＰＯＮ−１の量を決定するために少なくとも１つの抗体が使用される。
【０１０６】
一実施形態では、少なくとも１つの抗体は、マウスモノクローナル抗体である。別の実施形態では、少なくとも１つの抗体は、ウサギモノクローナル抗体である。さらなる実施形態では、抗体は、ヤギポリクローナル抗体である。さらに別の実施形態では、抗体は、ヒツジポリクローナル抗体である。
【０１０７】
「特異的な結合」または「特異的に結合する」という用語は、結合する対の分子が、その他の分子に有意に結合しない条件下で、互いに結合することを示す結合反応を指す。「特異的な結合」または「特異的に結合する」という用語は、バイオマーカーとしてのタンパク質またはペプチドに言及する場合、好ましくは結合剤が、対応するバイオマーカーに少なくとも１０７Ｍ−１の親和性（「会合定数」Ｋａ）で結合する結合反応を指す。「特異的な結合」または「特異的に結合する」という用語は、標的分子に対して、好ましくは少なくとも１０８Ｍ−１、またはさらにより好ましくは少なくとも１０９Ｍ−１の親和性を指す。「特異的な」または「特異的に」という用語は、サンプル中に存在するその他の分子が、標的分子に特異的な結合剤に、有意に結合しないことを示すために使用される。
【０１０８】
一実施形態では、本発明の方法は、ヒトＳＰＯＮ−１および非ヒトまたはキメラＳＰＯＮ−１特異的結合剤を含むタンパク質複合体を検出することに基づいている。そのような実施形態では、本発明は、対象における心房細動を評価するための方法について読み、前記方法は、（ａ）前記対象からのサンプルを非ヒトＳＰＯＮ−１特異的結合剤とともにインキュベーションする工程、（ｂ）（ａ）で形成されたＳＰＯＮ−１特異的結合剤およびＳＰＯＮ−１間の複合体を測定する工程、および（ｃ）測定された複合体の量を参照量と比較する工程を含む。参照量以上である複合体の量は、心房細動の診断（したがって存在）、持続性心房細動の存在、ＥＣＧを受けるべき対象、または有害事象のリスクがある対象の指標ある。参照量以下の複合体の量は、心房細動の不存在、発作性心房細動の存在、ＥＣＧを受けなくてもよい対象、または有害事象のリスクがない対象の指標である。
【０１０９】
「量」という用語は、本明細書で使用される場合、本明細書でいうバイオマーカー（例えば、ＳＰＯＮ−１またはナトリウム利尿ペプチド）の絶対量、前記バイオマーカーの相対量または濃度、およびそれらと相関するまたはそれらから導き出され得る任意の値またはパラメータを包含する。このような値またはパラメータは、直接測定により前記ペプチドから得られる、特定の物理的または化学的特性すべてに由来する強度シグナル値、例えば、質量スペクトルまたはＮＭＲスペクトルでの強度値を含む。さらに、本明細書の別の箇所で明示される間接測定により得られる値またはパラメータすべて、例えば、特異的に結合したリガンドから得られるペプチドまたは強度シグナルに応答して生物学的読み出しシステムにより決定される応答量、が包含される。上述の量またはパラメータに相関する値は、すべての標準的な数学的演算によっても得られるということを理解されたい。
【０１１０】
本明細書で使用される「比較する」という用語は、対象からのサンプル中のバイオマーカー（ＳＰＯＮ−１およびＮＴ−ｐｒｏＢＮＰまたはＢＮＰなどのナトリウム利尿ペプチドなど）の量を、本明細書の他の場所で明示されたバイオマーカーの参照量と比較することを指す。本明細書で使用される比較は、通常、対応するパラメータまたは値の比較を指すことを理解すべきである。例えば、絶対量は絶対参照量と比較され、濃度は参照濃度と比較され、サンプル中のバイオマーカーから得られる強度シグナルは、最初のサンプルから得られた同じタイプの強度シグナルと比較される。比較は、手作業またはコンピュータを利用して実施してもよい。したがって、比較は、計算装置により実施してもよい。対象からのサンプル中のバイオマーカーの決定量または検出量、および参照量についての値は、例えば、互いに比較することができ、また前記比較は、比較のためのアルゴリズムを実行するコンピュータプログラムにより自動的に実施され得る。前記評価を実施するコンピュータプログラムは、好適なアウトプット様式で、所望の評価を提供することになる。コンピュータを利用した比較において、決定量の値が、コンピュータプログラムにより、データベースに保存されている好適な参照に対応する値と比較されてもよい。コンピュータプログラムは、比較結果をさらに評価できる、すなわち、好適なアウトプット様式で所望の評価を自動的に提供する。コンピュータを利用した比較において、決定量の値が、コンピュータプログラムにより、データベースに保存されている好適な参照に対応する値と比較されてもよい。コンピュータプログラムは、比較結果をさらに評価できる、すなわち、好適なアウトプット様式で所望の評価を自動的に提供する。
【０１１１】
本発明によれば、バイオマーカーＳＰＯＮ−１の量、および任意選択で、少なくとも１つのさらなるバイオマーカー（ナトリウム利尿ペプチドなど）の量を参照と比較するものとする。参照は、好ましくは参照量である。「参照量」という用語は、当業者によく理解されている。参照量は、本明細書に記載の心房細動の評価を可能にすべきであることを理解されたい。例えば、心房細動を診断するための方法に関連して、参照量は、好ましくは対象を（ｉ）心房細動を患う対象のグループ、または（ｉｉ）心房細動を患わない対象のグループのいずれかに割り当てることを可能にする量を指す。好適な参照量は、試験サンプルと一緒に、すなわち同時にまたは連続して分析される最初のサンプルから決定されてもよい。
【０１１２】
ＳＰＯＮ−１の量は、ＳＰＯＮ−１の参照量と比較され、一方、少なくとも１つのさらなるバイオマーカー（ナトリウム利尿ペプチドなど）の量は、前記少なくとも１つのさらなるバイオマーカー（ナトリウム利尿ペプチドなど）の参照量と比較されることが理解されるべきである。２つ以上のマーカーの量が決定される場合、２つ以上のマーカーの量（ＳＰＯＮ−１の量およびナトリウム利尿ペプチドの量など）に基づいて合計スコアが計算されることも想定される。次の工程で、このスコアが参照スコアと比較される。
【０１１３】
参照量は、原則として、統計学の標準的方法を適用することにより、所定のバイオマーカーの平均または平均値に基づいて、上記で特定したように対象のコホートに対し算出され得る。特に、事象の診断を目的とする方法などの試験精度は、受信者動作特性（ＲＯＣ）により最もよく説明される（特に、Ｚｗｅｉｇ  ＭＨ．ｅｔ  ａｌ．，Ｃｌｉｎ．Ｃｈｅｍ．１９９３；３９：５６１−５７７を参照のこと）。ＲＯＣグラフは、観察されたデータの全範囲にわたって決定閾値を継続的に変動させることにより生じる、すべての感度対特異性のペアのプロットである。診断方法の臨床成績は、その精度、すなわち対象を特定の予後または診断に正確に割り当てる能力に依存する。ＲＯＣプロットは、区別を行うのに適した閾値の全範囲について、感度対１−特異性をプロットすることにより、２つの分布間の重複を示す。ｙ軸は、感度、すなわち真陽性率であり、真陽性試験結果の数および偽陰性試験結果の数の積に対する、真陽性試験結果の数の比率として定義される。それは影響を受けるサブグループからのみ計算される。ｘ軸上は、偽陽性率、すなわち１−特異性であり、真陰性結果の数および偽陽性結果の数の積に対する、偽陽性結果の数の比率として定義される。これは特異性の指標であり、影響を受けないサブグループからのみ計算される。真陽性および偽陽性率は、２つの異なるサブグループからの試験結果を使用して完全に別々に算出されるため、ＲＯＣプロットはコホートにおける事象の有病率から独立している。ＲＯＣプロット上の各点は、特定の決定閾値に対応する感度／１−特異性のペアを表す。完全な区別のある（結果の２つの分布に重複がない）試験は、左上隅を通るＲＯＣプロットを有し、真陽性率は１．０、または１００％（完全な感度）、偽陽性率は０（完全な特異性）となる。区別のない（２つのグループでの結果の分布が同一である）試験における理論上のプロットは、左上隅から右上隅への４５°の対角線となる。ほとんどのプロットは、これらの２つの極値の間にある。ＲＯＣプロットが４５°対角線を完全に下回る場合、これは、「陽性」の基準を「より高い」から「より低い」に入れ替え、逆もまた同様にすることで、容易に修正される。性質的に、プロットが左上隅に近いほど、試験の全体的な精度が高くなる。所望の信頼区間に応じて、ＲＯＣ曲線から閾値を導き出すことができ、これにより、感度および特異性それぞれの適切なバランスを備えた、所定の事象についての診断が可能になる。したがって、本発明の方法に使用される参照、すなわち心房細動の評価を可能にする閾値は、好ましくは、上記のように前記コホートのＲＯＣを確立し、そこから閾値量を導出することによって生成され得る。診断方法における所望の感度および特異性に応じて、ＲＯＣプロットは、好適な閾値を導出することができる。対象を心房細動の罹患から除外する（すなわち、ルールアウト）ための最適な感度が所望される一方、対象を心房細動に罹患していると評価する（すなわち、ルールイン）ための最適な特異性が想定されることが理解されるだろう。一実施形態では、本発明の方法によって、対象が心房細動に関連する有害事象、例えば心房細動の発生もしくは再発および／または脳卒中���リスクを有するか、予測することができる。
【０１１４】
好ましい実施形態では、本明細書の「参照量」という用語は、所定の値を指す。前記所定の値によって、心房細動の評価、したがって心房細動の診断、発作性心房細動と持続性心房細動との区別、心房細動に関連する有害事象のリスクの予測、心電図検査（ＥＣＧ）を受けるべき対象の特定、または心房細動の治療の評価が可能になるものとする。参照量は、評価の種類によって異なり得ることを理解されたい。例えば、ＡＦの区別用のＳＰＯＮ−１の参照量は、通常、ＡＦの診断用の参照量よりも高くなるだろう。しかしながら、これは当業者により考慮される。
【０１１５】
上記のように、「心房細動の評価」という用語は、好ましくは、心房細動の診断、発作性心房細動と持続性心房細動との区別、心房細動に関連する有害事象のリスクの予測、心電図検査（ＥＣＧ）を受けるべき対象の特定、または心房細動の治療の評価を指す。以下では、本発明の方法のこれらの実施形態をより詳細に説明する。上記の定義は、適宜適用される。
【０１１６】
心房細動の診断方法
本明細書で使用される「診断する」という用語は、本発明の方法に従って言及される対象が心房細動（ＡＦ）に罹患しているか否かを評価することを意味する。好ましい実施形態では、対象は発作性ＡＦに罹患していると診断される。代替の実施形態では、対象はＡＦに罹患していないと診断される。
【０１１７】
本発明によれば、すべてのタイプのＡＦを診断することができる。したがって、心房細動は、発作性、持続性、または永続性ＡＦであり得る。好ましくは、発作性または持続性心房細動は、特に永続性心房細動に罹患していない対象において診断される。
【０１１８】
対象がＡＦに罹患しているかどうかの実際の診断は、診断の確認（例えば、Ｈｏｌｔｅｒ−ＥＣＧなどのＥＣＧによる）などのさらなる工程を含み得る。したがって、本発明によって、患者が心房細動に罹患している可能性を評価することができる。参照量を超えるＳＰＯＮ−１の量を有する対象は、心房細動に罹患している可能性が高いが、参照量を下回る（または等しい）ＳＰＯＮ−１の量を有する対象は、心房細動に罹患している可能性が低い。したがって、本発明の文脈における「診断する」という用語は、対象が心房細動に罹患しているかどうかを評価するために医師を支援することも包含する。
【０１１９】
好ましくは、試験対象からのサンプル中のＳＰＯＮ−１の量（および任意選択で、ＥＳＭ−１、Ａｎｇ−２、ＩＧＦＢＰ−７および／またはナトリウム利尿ペプチドなどの少なくとも１つのさらなるバイオマーカーの量）の、１つまたは複数の参照量と比較した増加は、心房細動に罹患している対象の指標であり、かつ／または対象からのサンプル中のＳＰＯＮ−１の量（および任意選択で、ＥＳＭ−１、Ａｎｇ−２、ＩＧＦＢＰ−７および／またはナトリウム利尿ペプチドなどの少なくとも１つのさらなるバイオマーカーの量）の、１つまたは複数の参照量と比較した減少は、心房細動に罹患していない対象の指標である。
【０１２０】
好ましい実施形態では、参照量、すなわち参照量のＳＰＯＮ−１、および決定されれば、少なくとも１つのさらなるバイオマーカーの参照量は、心房細動に罹患している対象と心房細動に罹患していない対象との区別を可能にするものとする。好ましくは、前記参照量は所定の値である。
【０１２１】
一実施形態では、本発明の方法は、心房細動に罹患する対象の診断を可能にする。好ましくは、ＳＰＯＮ−１の量（および任意選択で、ＥＳＭ−１、Ａｎｇ−２、ＩＧＦＢＰ−７および／またはナトリウム利尿ペプチドなどの少なくとも１つのさらなるバイオマーカーの量）が参照量を上回る場合、対象はＡＦに罹患している。一実施形態では、ＳＰＯＮ−１の量が参照量の特定のパーセンタイル（例えば、９９パーセンタイル）の参照上限（ＵＲＬ）を超える場合、対象はＡＦに罹患している。
【０１２２】
心房細動を診断する方法の一実施形態では、前記方法は、診断の結果に基づいて心房細動の治療を推奨および／または開始する工程をさらに含む。好ましくは、対象がＡＦに罹患していると診断された場合、治療が推奨または開始される。心房細動の好ましい治療は、本明細書の他の場所に開示されている（抗凝固療法など）。
【０１２３】
発作性心房細動と持続性心房細動とを区別する方法
本明細書で使用される「区別する」という用語は、対象における発作性心房細動と持続性心房細動とを区別することを意味する。この用語は、本明細書で使用される場合、好ましくは、対象における発作性心房細動および持続性心房細動を区別して診断することを含む。したがって、本発明の方法は、心房細動を有する対象が発作性心房細動、または持続性心房細動に罹患しているかどうかを評価することを可能にする。実際の区別は、区別の確認などのさらなる工程を含み得る。したがって、本発明の文脈における「区別」という用語は、医師が発作性心房細動と持続性心房細動とを区別するのを支援することも包含する。
【０１２４】
好ましくは、対象からのサンプル中のＳＰＯＮ−１の量（および任意選択で、ＥＳＭ−１、Ａｎｇ−２、ＩＧＦＢＰ−７および／またはナトリウム利尿ペプチドなどの少なくとも１つのさらなるバイオマーカーの量）の、１つまたは複数の参照量と比較した増加は、持続性心房細動に罹患している対照の指標であり、かつ／または対象からのサンプル中のＳＰＯＮ−１の量（および任意選択で、ＥＳＭ−１、Ａｎｇ−２、ＩＧＦＢＰ−７および／またはナトリウム利尿ペプチドなどの少なくとも１つのさらなるバイオマーカーの量）の、１つまたは複数の参照量と比較した減少は、発作性心房細動に罹患している対象の指標である。両方のＡＦタイプ（発作性および持続性）で、ＳＰＯＮ−１の量は、非ＡＦ対象の参照量と比較して増加している。
【０１２５】
好ましい実施形態では、参照量は、発作性心房細動に罹患している対象と持続性心房細動に罹患している対象との区別を可能にするものとする。好ましくは、前記参照量は所定の値である。
【０１２６】
発作性心房細動と持続性心房細動とを区別する上記の方法の実施形態では、対象は、永続性心房細動に罹患していない。
【０１２７】
心房細動に関連する有害事象のリスクを予測する方法
本発明の方法はまた、有害事象のリスクを予測するための方法を企図する。
【０１２８】
一実施形態では、本明細書に記載の有害事象のリスクは、心房細動に関連する任意の有害事象の予測であり得る。好ましくは、前記有害事象は、心房細動の再発（電気的除細動後の心房細動の再発など）および脳卒中から選択される。したがって、対象（心房細動に罹患している）が将来、有害事象（脳卒中または心房細動の再発など）を患うリスクが予測されるものとする。
【０１２９】
さらに、心房細動に関連する前記有害事象は、既知の心房細動の病歴を有さない対象における心房細動の発生であることが想定される。
【０１３０】
特に好ましい実施形態では、脳卒中のリスクが予測される。
【０１３１】
したがって、対象の脳卒中のリスクを予測する本発明の方法は、
ａ）対象からのサンプル中のＳＰＯＮ−１の量を決定する工程、および
ｂ）ＳＰＯＮ−１の量を参照量と比較する工程を含み、それによって脳卒中のリスクを予測する。
【０１３２】
特に、本発明は、対象における脳卒中のリスクを予測する方法であって、
（ａ）対象からの少なくとも１つのサンプルにおいて、バイオマーカーＳＰＯＮ−１（スポンジン−１）の量、および任意選択で、ナトリウム利尿ペプチド、ＥＳＭ−１（エンドカン）、Ａｎｇ２（アンジオポエチン２）およびＩＧＦＢＰ７（インスリン様成長因子結合タンパク質７）からなる群から選択される少なくとも１つのさらなるバイオマーカーの量を決定する工程、および
（ｂ）バイオマーカーＳＰＯＮ−１の量をＳＰＯＮ−１の参照量と比較する工程、および任意選択で、少なくとも１つのさらなるバイオマーカーの量を前記少なくとも１つのさらなるバイオマーカーの参照量と比較する工程を含み、それによって脳卒中のリスクを予測する方法に関する。
【０１３３】
好ましくは、本明細書で使用される「リスクを予測する」という用語は、対象が本明細書で言及される有害事象（例えば、脳卒中）に罹患するであろう確率を評価することを指す。通常は、対象が有害事象に罹患するリスクがある（よって、リスクが高い）か、リスクがない（よって、リスクが低い）かどうかが予測される。したがって、本発明の方法は、前記有害事象に罹患するリスクのある対象と、リスクのない対象とを区別することを可能にする。さらに、本発明の方法は、リスクが低い、平均的、および高い対象間の区別を可能にすることが想定される。
【０１３４】
上記のように、特定の時間ウィンドウ内に有害事象に罹患するリスク（および確率）が予測されるものとする。本発明の好ましい実施形態では、予測ウィンドウは、約３ヶ月、約６ヶ月、または特に約１年の期間である。したがって、短期的なリスクが予測される。
【０１３５】
別の好ましい実施形態では、予測ウィンドウは、約５年の期間である（例えば脳卒中の予測用）。さらに、予測ウィンドウは、約６年の期間であってもよい（例えば、脳卒中の予測用）。あるいは、予測ウィンドウは、約１０年であってもよい。また、予測ウィンドウは、１〜３年の期間であることが想定される。したがって、１〜３年以内に脳卒中に罹患するリスクが予測される。また、予測ウィンドウは、１〜１０年の期間であることが想定される。したがって、１〜１０年以内に脳卒中に罹患するリスクが予測される。
【０１３６】
好ましくは、前記予測ウィンドウは、本発明の方法の完了から計算される。より好ましくは、上記予測ウィンドウは、試験されるサンプルが採取された時点から計算される。当業者によって理解されるように、リスクの予測は、通常、対象の１００％について正しいことを意図するものではない。しかしながら、この用語は、予測が対象の統計的に有意な部分について、適切かつ正確な方法で行われることを必要とする。部分が統計的に有意であるかどうかは、信頼区間の決定、ｐ値の決定、スチューデントのｔ検定、マン−ホイットニー検定などのさまざまな周知の統計評価ツールを使用して、当業者がすぐさま決定することができる。詳細は、Ｄｏｗｄｙ  ａｎｄ  Ｗｅａｒｄｅｎ、Ｓｔａｔｉｓｔｉｃｓ  ｆｏｒ  Ｒｅｓｅａｒｃｈ、Ｊｏｈｎ  Ｗｉｌｅｙ＆Ｓｏｎｓ、Ｎｅｗ  Ｙｏｒｋ  １９８３に記載されている。好ましい信頼区間は、少なくとも９０％、少なくとも９５％、少なくとも９７％、少なくとも９８％、または少なくとも９９％である。ｐ値は、好ましくは、０．１、０．０５、０．０１、０．００５、または０．０００１である。
【０１３７】
好ましい実施形態では、「前記有害事象に罹患するリスクを予測する」という表現は、本発明の方法によって分析される対象が、前記有害事象に罹患するリスクがある対象のグループ、または前記有害事象（脳卒中など）に罹患するリスクがない対象のグループのいずれかに割り当てられることを意味する。このように、対象が前記有害事象に罹患するリスクがあるか否かが予測される。本明細書で使用される「前記有害事象に罹患するリスクがある対象」は、好ましくは前記有害事象に罹患する（好ましくは、予測ウィンドウ内に）リスクが高い。好ましくは、上記リスクは、対象のコホートにおける平均リスクと比較して上昇する。本明細書で使用される場合、「前記有害事象に罹患するリスクがない対象」は、好ましくは、前記有害事象に罹患する（好ましくは予測ウィンドウ内に）リスクが低い。好ましくは、上記リスクは、対象のコホートにおける平均リスクと比較して低下する。前記有害事象に罹患するリスクがある対象は、好ましくは約１年の予測ウィンドウ内で、好ましくは少なくとも２０％、より好ましくは少なくとも３０％の、心房細動の再発または発症などの有害事象に罹患するリスクを有する。前記有害事象に罹患するリスクがない対象は、好ましくは１年の予測ウィンドウ内で、好ましくは１２％未満、より好ましくは１０％未満の、前記有害事象に罹患するリスクを有する。
【０１３８】
脳卒中の予測に関して、前記有害事象に罹患するリスクがある対象は、好ましくは約５年、特に約６年の予測ウィンドウ内で、好ましくは少なくとも１０％、より好ましくは少なくとも１３％の前記有害事象に罹患するリスクを有する。前記有害事象に罹患するリスクがない対象は、好ましくは約５年、特に約６年の予測ウィンドウ内で、好ましくは１０％未満、より好ましくは８％未満、最も好ましくは５％未満の前記有害事象に罹患するリスクを有する。対象が抗凝固療法を受けていない場合、リスクは上昇し得る。しかしながら、これは当業者により考慮される。
【０１３９】
好ましくは、対象からのサンプル中のＳＰＯＮ−１の量（および任意選択で、ＥＳＭ−１、Ａｎｇ−２、ＩＧＦＢＰ−７および／またはナトリウム利尿ペプチドなどの少なくとも１つのさらなるバイオマーカーの量）の、１つまたは複数の参照量と比較した増加は、心房細動に関連する有害事象のリスクがある対象の指標であり、かつ／または対象からのサンプル中のＳＰＯＮ−１の量（および任意選択で、ＥＳＭ−１、Ａｎｇ−２、ＩＧＦＢＰ−７および／またはナトリウム利尿ペプチドなどの少なくとも１つのさらなるバイオマーカーの量）の、１つまたは複数の参照量と比較した減少は、心房細動に関連する有害事象のリスクがない対象の指標である。
【０１４０】
好ましい実施形態では、１つまたは複数の参照量は、本明細書で言及される有害事象のリスクがある対象と、前記有害事象のリスクがない対象との区別を可能にするものとする。好ましくは、前記参照量は所定の値である。
【０１４１】
予測される有害事象は、好ましくは脳卒中である。「脳卒中」という用語は、当該技術分野において周知である。本明細書で使用される場合、この用語は、好ましくは、虚血性脳卒中、特に脳虚血性脳卒中を指す。本発明の方法によって予測される脳卒中は、脳細胞への酸素の供給不足をもたらす脳またはその部分への血流の減少によって、引き起こされるものとする。特に、脳卒中は、脳細胞死による不可逆的な組織損傷をもたらす。脳卒中の症状は、当該技術分野において周知である。例えば、脳卒中の症状としては、顔、腕、脚、特に体の片側の突然のしびれや脱力、突然の混乱、会話や理解の障害、片目または両目の突然の見えづらさ、突然の歩行困難、めまい、バランスまたは調整の喪失などが挙げられる。虚血性脳卒中は、主要な大脳動脈のアテローム血栓症または塞栓症によって、凝固障害または非アテローム性血管疾患によって、または全体的な血流の減少につながる心虚血によって引き起こされる可能性がある。虚血性脳卒中は、アテローム血栓性脳卒中、心塞栓性脳卒中および小窩性卒中からなる群から選択されることが好ましい。好ましくは、予測される脳卒中は、急性虚血性脳卒中、特に心塞栓性脳卒中である。心塞栓性脳卒中（しばしば塞栓性または血栓塞栓性脳卒中とも呼ばれる）は、心房細動によって引き起こされ得る。
【０１４２】
好ましくは、前記脳卒中は、心房細動に関連しているものとする。より好ましくは、脳卒中は、心房細動によって引き起こされるものとする。しかしながら、対象が心房細動の病歴を有さないことも想定されている。
【０１４３】
好ましくは、脳卒中と心房細動のエピソードとの間に時間的関係がある場合、脳卒中は心房細動と関連している。より好ましくは、脳卒中が心房細動によって引き起こされる場合、脳卒中は心房細動と関連している。最も好ましくは、脳卒中が心房細動によって引き起こされ得る場合、脳卒中は心房細動に関連している。例えば、心塞栓性脳卒中（しばしば塞栓性または血栓塞栓性脳卒中とも呼ばれる）は、心房細動によって引き起こされ得る。好ましくは、ＡＦに関連する脳卒中は、経口抗凝固療法によって予防することができる。また好ましくは、試験される対象が心房細動に罹患している、かつ／またはその既知の病歴を有する場合、脳卒中は心房細動に関連していると見なされる。また、一実施形態では、対象が心房細動に罹患している疑いがある場合、脳卒中は心房細動に関連していると見なすことができる。
【０１４４】
「脳卒中」という用語は、好ましくは、出血性脳卒中を含まない。
【０１４５】
有害事象（脳卒中など）を予測する前述の方法の好ましい実施形態では、試験される対象は、心房細動に罹患している。より好ましくは、対象は、心房細動の既知の病歴を有する。有害事象を予測するための方法によれば、対象は、好ましくは永続性心房細動、より好ましくは持続性心房細動、最も好ましくは発作性心房細動に罹患している。
【０１４６】
有害事象を予測する方法の一実施形態では、心房細動に罹患している対象は、サンプルの採取時に心房細動のエピソードを経験する。有害事象を予測する方法の別の実施形態では、心房細動に罹患している対象は、サンプルの採取時に心房細動のエピソードを経験しない（したがって、正常な洞調律を有するものとする）。さらに、リスクが予測される対象は、抗凝固療法を受けている可能性がある。
【０１４７】
有害事象を予測する方法の別の実施形態では、試験される対象は、心房細動の既知の病歴を有していない。特に、対象は心房細動に罹患していないことが想定される。
【０１４８】
本発明の方法は、個別化医療を支援することができる。好ましい一実施形態では、対象の脳卒中のリスクを予測する方法は、上記対象が脳卒中を患うリスクがあると特定された場合に、ｉ）抗凝固療法を推奨する工程、またはｉｉ）抗凝固療法の強化を推奨する工程をさらに含む。
【０１４９】
好ましい一実施形態では、対象の脳卒中のリスクを予測する方法は、対象が脳卒中を患うリスクがあると特定された場合（本発明の方法によって）、ｉ）抗凝固療法を開始する工程、またはｉｉ）抗凝固療法を強化する工程をさらに含む。
【０１５０】
対象が抗凝固療法を受けている場合、かつ対象が脳卒中を患うリスクがないと特定された場合（本発明の方法により）、抗凝固療法の投与量を減らすことができる。したがって、投与量の削減が推奨され得る。投与量を減らすことで、副作用（出血など）を被るリスクを減らすことができる。
【０１５１】
本明細書で使用される「推奨する」という用語は、対象に適用できる治療法の提案を確立することを意味する。しかしながら、実際の治療を適用することは、どんなものであれ、この用語に含まれないことを理解されたい。推奨される治療は、本発明の方法によって提供される結果に依存する。
【０１５２】
特に、以下が適用される。
【０１５３】
試験される対象が抗凝固療法を受けていない場合、対象が脳卒中を患うリスクがあると特定されていれば、抗凝固療法の開始が推奨される。したがって、抗凝固療法が開始されるものとする。
【０１５４】
試験される対象がすでに抗凝固療法を受けている場合、対象が脳卒中を患うリスクがあると特定されていれば、抗凝固療法の強化が推奨される。したがって、抗凝固療法が強化されるものとする。
【０１５５】
好ましい実施形態では、抗凝固療法は、抗凝固剤の投与量、すなわち、現在投与されている凝固剤の量を増やすことによって強化される。
【０１５６】
特に好ましい実施形態では、抗凝固療法は、現在投与されている抗凝固剤の、より効果的な抗凝固剤への置き換えを増やすことによって強化される。したがって、抗凝固剤の置き換えが推奨される。
【０１５７】
Ｈｉｊａｚｉ  ａｔ  ａｌ．，Ｔｈｅ  Ｌａｎｃｅｔ  ２０１６  ３８７，２３０２−２３１１、（図４）に示されているように、高リスク患者のより良い予防は、ビタミンＫ拮抗薬ワルファリンと比較して経口抗凝固剤アピキサバンで達成されることが記載されている。
【０１５８】
したがって、試験される対象は、ワルファリンまたはジクマロールなどのビタミンＫ拮抗薬で治療される対象であることが想定される。対象が脳卒中を患うリスクがあると（本発明の方法により）特定された場合、ビタミンＫ拮抗薬を経口抗凝固剤、特にダビガトラン、リバロキサバンまたはアピキサバンによる置き換えが推奨される。ビタミンＫ拮抗薬による治療が中止されることにより、経口抗凝固剤による治療が開始される。
【０１５９】
心電図検査（ＥＣＧ）を受けるべき対象を特定する方法
本発明の方法のこの実施形態によれば、バイオマーカーで試験される対象が、心電図検査（ＥＣＧ）、すなわち心電図検査評価を受けるべきかどうかが評価されるものとする。前記評価は、前記対象において、診断のために、すなわち、ＡＦの欠如の存在を検出するために実施されるものとする。
【０１６０】
本明細書で使用される「対象を特定する」という用語は、好ましくは、対象のサンプル中のＳＰＯＮ−１の量（および任意選択で、少なくとも１つのさらなるバイオマーカーの量）に関して生成された情報またはデータを使用して、ＥＣＧを受けるべき対象を特定することを指す。特定された対象は、ＡＦに罹患する可能性が高い。ＥＣＧ評価は、確認として行われる。
【０１６１】
心電図検査（略してＥＣＧ）は、好適なＥＣＧによって心臓の電気的活動を記録するプロセスである。ＥＣＧ装置は、心臓によって生成され、体全体から皮膚に広がる電気信号を記録する。電気信号の記録は、対象の皮膚をＥＣＧ装置に含まれる電極と接触させることによって達成される。記録を取得するプロセスは、非侵襲的であり、リスクがない。ＥＣＧは、心房細動の診断のために、すなわち、対象における心房細動の欠如の存在の評価のために実行される。本発明の方法の実施形態では、ＥＣＧ装置は、１リード装置（１リードハンドヘルドＥＣＧ装置）である。別の好ましい実施形態では、ＥＣＧ装置は、ホルターモニターなどの１２リードＥＣＧ装置である。
【０１６２】
好ましくは、試験対象からのサンプル中のＳＰＯＮ−１量（および任意選択で、ＥＳＭ−１、Ａｎｇ−２、ＩＧＦＢＰ−７および／またはナトリウム利尿ペプチドなどの少なくとも１つのさらなるバイオマーカーの量）の、１つまたは複数の参照量と比較した増加は、心房細動に罹患している対象の指標であり、かつ／または試験対象からのサンプル中のＳＰＯＮ−１の量（および任意選択で、ＥＳＭ−１、Ａｎｇ−２、ＩＧＦＢＰ−７および／またはナトリウム利尿ペプチドなどの少なくとも１つのさらなるバイオマーカーの量）の、１つまたは複数の参照量と比較した減少は、心房細動に罹患していない対象の指標である。
【０１６３】
好ましい実施形態では、参照量は、ＥＣＧを受けるべき対象と、ＥＣＧを受けなくてもよい対象との区別を可能にするものとする。好ましくは、前記参照量は所定の値である。
【０１６４】
心房細動の治療の評価方法
本明細書で使用される場合、「心房細動の治療を評価する」という用語は、好ましくは、心房細動を治療することを目的とする治療の評価を指す。特に、治療の有効性を評価するものとする。好ましい実施形態では、前記治療は抗凝固療法である。したがって、本発明は、抗凝固療法を評価するための方法を包含する。
【０１６５】
評価される治療は、心房細動を治療することを目的とする任意の治療であり得る。好ましくは、前記治療は、少なくとも１つの抗凝固剤の投与、リズムコントロール、レートコントロール、電気的除細動およびアブレーションからなる群から選択される。前記治療は当技術分野でよく知られており、例えば、参照によりその全体が本明細書に組み込まれる、Ｆｕｓｔｅｒ  Ｖ  ｅｔ  ａｌ．Ｃｉｒｃｕｌａｔｉｏｎ  ２０１１；１２３：ｅ２６９−ｅ３６７にて概説されている。
【０１６６】
一実施形態では、治療は、少なくとも１つの抗凝固剤の投与、すなわち抗凝固療法である。抗凝固療法は、好ましくは、上記対象における抗凝固のリスクを低減することを目的とする治療法である。少なくとも１つの抗凝固剤を投与することは、血液の凝固および関連する脳卒中を抑制または防止することを目的とする。
【０１６７】
好ましい実施形態では、少なくとも１つの抗凝固剤（すなわち、抗凝固療法）は、ヘパリン、クマリン誘導体（すなわち、ビタミンＫ拮抗薬）、特にワルファリンまたはジクマロール、経口抗凝固剤、特にダビガトラン、リバロキサバンまたはアピキサバン、組織因子経路阻害剤（ＴＦＰＩ）、アンチトロンビンＩＩＩ、第ＩＸａ因子阻害剤、第Ｘａ因子阻害剤、第Ｖａ因子阻害剤および第ＶＩＩＩａ因子阻害剤、およびトロンビン阻害剤（抗ＩＩａ型）からなる群から選択される。したがって、対象は上記の少なくともいずれか１つの薬剤を服用することが想定される。
【０１６８】
好ましい実施形態では、抗凝固剤は、ワルファリンまたはジクマロールなどのビタミンＫ拮抗薬である。ワルファリンまたはジクマロールなどのビタミンＫ拮抗薬は、安価だが、不便で扱いにくく、また治療範囲において時間変動を伴う信頼性の低い治療が多いため、患者のコンプライアンスを向上する必要がある。ＮＯＡＣ（新しい経口抗凝固剤）は、直接第Ｘａ因子阻害剤（アピキサバン、リバロキサバン、ダレキサバン、エドキサバン）、直接トロンビン阻害剤（ダビガトラン）およびＰＡＲ−１拮抗薬（ボラパクサル、アトパキサール）を含む。
【０１６９】
別の好ましい実施形態では、抗凝固剤は、経口抗凝固剤、特にアピキサバン、リバロキサバン、ダレキサバン、エドキサバン、ダビガトラン、ボラパクサル、またはアトパキサールである。
【０１７０】
したがって、試験される対象は、試験時（すなわち、サンプルを受け取る時）に、経口抗凝固剤またはビタミンＫ拮抗薬による治療を受けている可能性がある。
【０１７１】
好ましい実施形態では、心房細動の治療の評価は、前記治療のモニタリングである。この実施形態では、参照量は、好ましくは、初期に得られたサンプル（すなわち、工程ａの試験サンプルの前に採取されたサンプル）におけるＳＰＯＮ−１の量である。
【０１７２】
任意選択で、ＳＰＯＮ−１の量に加えて、本明細書で言及される少なくとも１つのさらなるバイオマーカーの量が決定される。
【０１７３】
したがって、本発明は、対象、好ましくは心房細動に罹患している対象において、抗凝固療法をモニタリングする方法など、心房細動の治療をモニタリングするための方法に関するものであり、前記方法は、
（ａ）対象からの最初のサンプルにおいて、バイオマーカーＳＰＯＮ−１（スポンジン−１）の量、および任意選択で、ナトリウム利尿ペプチド、ＥＳＭ−１（エンドカン）、Ａｎｇ２（アンジオポエチン２）およびＩＧＦＢＰ７（インスリン様成長因子結合タンパク質７）からなる群から選択される少なくとも１つのさらなるバイオマーカーの量を決定する工程、
（ｂ）対象からの、前記第１のサンプルの後に採取された第２のサンプルにおいて、バイオマーカーＳＰＯＮ−１（スポンジン−１）の量、および任意選択で、ナトリウム利尿ペプチド、ＥＳＭ−１（エンドカン）、Ａｎｇ２（アンジオポエチン２）およびＩＧＦＢＰ７（インスリン様成長因子結合タンパク質７）からなる群から選択される少なくとも１つのさらなるバイオマーカーの量を決定する工程、および
（ｃ）第１のサンプル中のＳＰＯＮ−１の量を前記第２のサンプル中のＳＰＯＮ−１の量と比較する工程、および任意選択で、第１のサンプル中の前記少なくとも１つのさらなるバイオマーカーの量を、前記第２のサンプル中の前記少なくとも１つのさらなるバイオマーカーの量と比較する工程を含み、それにより、抗凝固療法などの治療をモニタリングする。
【０１７４】
上記の方法の一実施形態では、対象は、心房細動に罹患している。上記の方法の他の実施形態では、対象は、心房細動に罹患していない。
【０１７５】
本明細書で使用される「モニタリング」という用語は、好ましくは、本明細書の他の場所で言及される治療の効果を評価することに関する。したがって、治療（抗凝固療法など）の有効性がモニタリングされる。
【０１７６】
前述の方法は、工程ｃ）で実行された比較工程の結果に基づいて治療をモニタリングする、さらなる工程を含み得る。当業者によって理解されるように、リスクの予測は、通常、対象の１００％について正しいことを意図するものではない。しかしながら、この用語は、予測が対象の統計的に有意な部分について、適切かつ正確な方法で行われることを必要とする。したがって、実際のモニタリングは、確認などのさらなる工程を含み得る。
【０１７７】
好ましくは、本発明の方法を実施することにより、対象が前記治療に反応するか否かを評価することができる。第１のサンプルと第２のサンプルを採取する間に対象の状態が改善した場合、対象は治療に反応する。好ましくは、対象は、第１のサンプルと第２のサンプルを採取する間に状態が悪化した場合、治療に反応しない。
【０１７８】
あるいは、抗凝固療法に反応する対象は、好ましくは、第１のサンプルと第２のサンプルを採取する間に脳卒中のリスクが減少する対象である。抗凝固療法に反応しない対象は、好ましくは、脳卒中のリスクが増加するか、または第１のサンプルと第２のサンプルを採取する間に変化しないままである対象である。脳卒中のリスクが増加するか、減少するか、または変化しないかは、例えば、対象の臨床的脳卒中リスクスコアを評価することによって決定できる。好ましいスコアは、本明細書の他の場所に開示されている。
【０１７９】
好ましくは、第１のサンプルは、前記治療の開始前に採取される。より好ましくは、サンプルは、前記治療の開始前１週間以内、特に２週間以内に採取される。しかしながら、第１のサンプルは、前記治療の開始後（ただし、第２のサンプルが採取される前）に採取できることも企図される。この場合、進行中の治療がモニタリングされる。
【０１８０】
したがって、第２のサンプルは、第１のサンプルの後に採取されるものとする。第２のサンプルは、前記治療の開始後に採取されなければならないことを理解されたい。
【０１８１】
さらに、第２のサンプルは、第１のサンプルの採取後、合理的な期間の後に採取されることが特に企図される。本明細書で言及されるバイオマーカーの量は、即座に（例えば、１分または１時間以内）変化しないことを理解されたい。したがって、この文脈における「合理的」は、バイオマーカーの調整を可能にする、第１および第２のサンプルの採取の間隔を指す。したがって、第２のサンプルは、好ましくは、前記第１のサンプルの少なくとも１ヶ月後、前記第１のサンプルの少なくとも３ヶ月後、特に、少なくとも６ヶ月後に採取される。
【０１８２】
第２のサンプル中のバイオマーカー、すなわちＳＰＯＮ−１、および任意選択でナトリウム利尿ペプチドの量の、第１のサンプル中のバイオマーカーの量と比較した、好ましくは減少、より好ましくは有意な減少、最も好ましくは統計的に有意な減少は、治療に反応する対象の指標である。したがって、治療は有効である。また、第１のサンプル中のバイオマーカーの量と比較した、第２のサンプル中の、好ましくはＳＰＯＮ−１の濃度の無変化またはバイオマーカーの量の増加、より好ましくは有意な増加、最も好ましくは統計的に有意な増加は、治療に反応しない対象の指標である。したがって、治療は有効ではない。
【０１８３】
「有意」および「統計的に有意」という用語は、当業者に知られている。したがって、増加または減少が有意であるか統計的に有意であるかは、様々な周知の統計評価ツールを使用して、さらに苦労することなく当業者によって決定することができる。例えば、有意な増加または減少は、少なくとも１０％、特に少なくとも２０％の増加または減少である。
【０１８４】
通常、治療が対象の心房細動の再発のリスクを低減すれば、対象は治療に反応すると見なされる。治療が対象の心房細動の再発のリスクを低減しなければ、対象は治療に反応しないと見なされる。
【０１８５】
一実施形態では、対象が治療に反応しない場合、治療の強度が上げられる。さらに、対象が治療に反応する場合、治療の強度が下げられることが想定される。あるいは、対象が治療に反応した場合、治療は同じ強度で継続することができる。
【０１８６】
例えば、治療の強度は、投与される薬剤の量を増やすことによって上げることができる。例えば、治療の強度は、投与される薬剤の量を減らすことによって下げることができる。これにより、出血などの望ましくない有害な副作用を回避できる可能性がある。同じ強度で治療を継続する場合、投与される薬剤および投与量は変えなくてもよい。抗凝固療法の強度を高めることに関しては、本明細書の他の場所でなされた説明、例えば、対象の抗凝固療法の有効性の評価に関連してなされた説明などを参照されたい。
【０１８７】
別の好ましい実施形態では、心房細動の治療の評価は、心房細動の治療のガイダンスである。本明細書で使用される「ガイダンス」という用語は、好ましくは、治療中のバイオマーカー、すなわちＳＰＯＮ−１の決定に基づく経口抗凝固の投与量の増加または削減など、治療の強度の調整に関する。
【０１８８】
さらに好ましい実施形態では、心房細動の治療の評価は、心房細動の治療の階層化である。したがって、心房細動の特定の治療に適格である対象が特定されるものとする。本明細書で使用される「階層化」という用語は、好ましくは、特定のリスク、同定された分子経路、および／または特定の薬物または処置の予想される有効性に基づいて適切な治療を選択することに関する。検出されたリスクに応じて、特に不整脈に関連する症状が最小限またはまったくない患者は、心室レートコントロール、電気的除細動またはアブレーションに適格となるか、そうでなければ抗血栓療法のみを受けるだろう。
【０１８９】
上記の定義および説明は、必要な変更を加えて以下に適用される（特に明記されていない限り）。
【０１９０】
本発明はさらに、心房細動の評価を支援する方法に関するものであり、前記方法は、
ａ）対象からの少なくとも１つのサンプルを提供する工程、
ｂ）工程ａ）で提供された少なくとも１つのサンプルにおいて、バイオマーカーＳＰＯＮ−１（スポンジン−１）の量、および任意選択で、ナトリウム利尿ペプチド、ＥＳＭ−１（エンドカン）、Ａｎｇ２およびＩＧＦＢＰ７（インスリン様成長因子結合タンパク質７）からなる群から選択される少なくとも１つのさらなるバイオマーカーの量を決定する工程、および
ｃ）バイオマーカーＳＰＯＮ−１の決定された量に関する情報、および任意選択で、少なくとも１つのさらなるバイオマーカーの決定された量に関する情報を医師に提供する工程を含み、それによって心房細動の評価を支援する。
【０１９１】
医師は主治医、すなわちバイオマーカーの決定を要求した医師であるものとする。上記方法は、心房細動の評価において主治医を支援するものとする。したがって、この方法は、心房細動を評価する方法に関連して上記で言及された診断、予測、モニタリング、区別、特定を含まない。
【０１９２】
サンプルを採取する上記方法の工程ａ）は、対象からのサンプルの抽出を包含しない。好ましくは、サンプルは、上記対象からサンプルを受け取ることによって採取する。このように、サンプルは引き渡される可能性がある。
【０１９３】
一実施形態では、上記の方法は、脳卒中の予測を支援する方法であり、前記方法は、
ａ）心房細動を評価する方法に関連して、特に心房細動を予測する方法に関連して本明細書で言及される対象からの、少なくとも１つのサンプルを提供する工程、
ｂ）バイオマーカーＳＰＯＮ−１の量、およびナトリウム利尿ペプチド、ＥＳＭ−１（エンドカン）、Ａｎｇ２およびＩＧＦＢＰ７（インスリン様成長因子結合タンパク質７）からなる群から選択される少なくとも１つのさらなるバイオマーカーの量を決定する工程、および
ｃ）バイオマーカーＳＰＯＮ−１の決定された量に関する情報、および任意選択で、少なくとも１つのさらなるバイオマーカーの決定された量に関する情報を医師に提供する工程を含み、それによって脳卒中の予測を支援する。
【０１９４】
本発明はさらに、
ａ）バイオマーカーＳＰＯＮ−１のアッセイ、および任意選択で、ナトリウム利尿ペプチド、ＥＳＭ−１（エンドカン）、Ａｎｇ２およびＩＧＦＢＰ７（インスリン様成長因子結合タンパク質７）からなる群から選択されるさらなるバイオマーカーの少なくとも１つのさらなるアッセイを提供すること、および
ｂ）心房細動の評価での上記アッセイによって得られた、または得られ得るアッセイ結果の使用についての指示を提供することを含む、方法に関する。
【０１９５】
前述の方法の目的は、好ましくは、心房細動の評価における支援である。
【０１９６】
本明細書に記載されるように、上記指示は、心房細動を評価する方法を実行するためのプロトコルを含むものとする。さらに、指示は、ＳＰＯＮ−１の参照量の少なくとも１つの値、および任意選択でナトリウム利尿ペプチドの参照量の少なくとも１つの値を含むものとする。
【０１９７】
「アッセイ」は、好ましくは、バイオマーカーの量を決定するために構成されたキットである。「キット」という用語については、以下で説明する。例えば、前記キットは、バイオマーカーＳＰＯＮ−１の少なくとも１つの検出剤、および任意選択で、ナトリウム利尿ペプチドに特異的に結合する薬剤、ＥＳＭ−１に特異的に結合する薬剤、Ａｎｇ２に特異的に結合する薬剤、およびＩＧＦＢＰ７に特異的に結合する薬剤からなる群から選択される少なくとも１つのさらなる薬剤を含む。したがって、１〜４つの検出剤が存在し得る。１〜４つのバイオマーカーの検出剤は、単一のキットまたは個別のキットで提供され得る。
【０１９８】
上記試験により得られた試験結果または得ることができる試験結果は、バイオマーカーの量の値である。
【０１９９】
一実施形態では、工程ｂ）は、（本明細書の他の箇所で記載されるように）脳卒中の予測における上記試験によって得られたまたは得ることができる試験結果を使用するための指示を提供することを含む。
【０２００】
本発明はさらに、心房細動を評価するためのコンピュータ実装方法であって、
ａ）処理ユニットで、対象からのサンプルにおいて決定されたＳＰＯＮ−１の量の値、および任意選択で、ナトリウム利尿ペプチド、ＥＳＭ−１（エンドカン）、Ａｎｇ２およびＩＧＦＢＰ７（インスリン様成長因子結合タンパク質７）からなる群から選択される少なくとも１つのさらなるバイオマーカーの量の少なくとも１つのさらなる値を受け取ること、
ｂ）前記処理ユニットによって、工程（ａ）で受け取った１つまたは複数の値を１つまたは複数の参照と比較すること、および
ｃ）比較工程ｂ）に基づいて心房細動を評価すること含む、方法に関する。
【０２０１】
上記の方法は、コンピュータ実装方法である。好ましくは、コンピュータ実装方法のすべての工程は、コンピュータ（またはコンピュータネットワーク）の１つ以上の処理ユニットによって実行される。したがって、工程（ｃ）での評価は、処理ユニットによって実行される。好ましくは、前記評価は、工程（ｂ）の結果に基づく。
【０２０２】
工程（ａ）で受け取った１つまたは複数の値は、本書の他の場所で説明されているように、対象からのバイオマーカーの量の決定から導き出されるものとする。好ましくは、値は、バイオマーカーの濃度の値である。値は通常、値を処理ユニットにアップロードまたは送信することによって、処理ユニットで受け取られる。あるいは、ユーザインターフェースを介して値を入力することにより、値が処理ユニットによって受け取られ得る。
【０２０３】
前述の方法の実施形態では、工程（ｂ）に示される１つまたは複数の参照は、メモリから確立される。好ましくは、参照用の値はメモリから確立される。
【０２０４】
本発明の前述のコンピュータ実装方法の実施形態では、工程ｃ）で行われた評価の結果は、結果を提示するように構成されたディスプレイを介して提供される。
【０２０５】
本発明の前述のコンピュータ実装方法の実施形態では、この方法は、工程ｃ）で行われた評価に関する情報を対象の電子医療記録に転送する、さらなる工程を含み得る。
【０２０６】
脳卒中の予測方法
上記のように、本明細書で言及されるバイオマーカーの決定は、心房細動に関連する脳卒中のリスクなどの（ただしこれらに限定されない）脳卒中のリスクの予測を可能にする。
【０２０７】
本発明の基礎となる研究では、ＳＰＯＮ−１（および本明細書で言及されるさらなるバイオマーカー）の決定により、対象の臨床的脳卒中リスクスコアの予測精度を改善できることがさらに示されている。したがって、臨床的脳卒中リスクスコアの決定とＳＰＯＮ−１の決定とを組み合わせることにより、ＳＰＯＮ−１の決定または臨床的脳卒中リスクスコアの決定のみと比較して、より信頼性の高い脳卒中の予測が可能になる。
【０２０８】
したがって、脳卒中のリスクを予測するための方法は、ＳＰＯＮ−１の量と臨床的脳卒中リスクスコアとの組み合わせをさらに含んでもよい。ＳＰＯＮ−１の量と臨床的リスクスコアとの組み合わせに基づいて、対象の脳卒中のリスクが予測される。
【０２０９】
前述の方法の実施形態では、方法は、ＳＰＯＮ−１の量と参照量との比較をさらに含む。この場合、比較の結果は、臨床的脳卒中リスクスコアと組み合わされる。
【０２１０】
したがって、本発明は、特に、対象の脳卒中のリスクを予測する方法であって、
ａ）対象からのサンプル中のＳＰＯＮ−１の量を決定する工程、および
ｂ）ＳＰＯＮ−１の量の値と臨床的脳卒中リスクスコアとを組み合わせる工程を含み、それによって、前記対象の脳卒中のリスクを予測する方法に関する。
【０２１１】
この方法によれば、対象は、既知の臨床的脳卒中リスクスコアを有する対象であることが想定される。したがって、臨床的脳卒中リスクスコアの値は、対象について既知である。
【０２１２】
好ましい実施形態では、前述の方法の工程ａ）およびｂ）は、以下の通りである。
【０２１３】
ａ）既知の臨床的脳卒中リスクスコアを有する対象からの少なくとも１つのサンプルにおいて、バイオマーカーＳＰＯＮ−１（スポンジン−１）の量、および任意選択で、ナトリウム利尿ペプチド、ＥＳＭ−１（エンドカン）、Ａｎｇ２（アンジオポエチン２）およびＩＧＦＢＰ７（インスリン様成長因子結合タンパク質７）からなる群から選択される少なくとも１つのさらなるバイオマーカーの量を決定する工程、および
ｂ）ＳＰＯＮ−１の量、および／またはナトリウム利尿ペプチド、ＥＳＭ−１、Ａｎｇ２、ＩＧＦＢＰ７を含む１つ以上のバイオマーカーの量の値を臨床的脳卒中リスクスコアと組み合わせ、それによって前記対象の脳卒中のリスクを予測する工程。
【０２１４】
あるいは、この方法は、臨床的脳卒中リスクスコアの値を取得することまたは提供することを含んでもよい。
【０２１５】
好ましくは、上記値は数値である。一実施形態では、臨床的脳卒中リスクスコアは、医師が利用できる臨床ベースのツールの１つによって生成される。好ましくは、その値は、対象の臨床的脳卒中リスクスコアの値を決定することによって提供されたものである。より好ましくは、値は、対象の患者記録データベースおよび病歴から得られる。したがって、上記スコアの値は、対象の病歴または公開データを使用して決定することもできる。
【０２１６】
本発明によれば、ＳＰＯＮ−１（および任意選択でさらなるマーカー）の量は、臨床的脳卒中リスクスコアと組み合わされる。これは、好ましくは、ＳＰＯＮ−１の量の値が臨床的脳卒中リスクスコアと組み合わされることを意味する。したがって、これらの値は、対象が脳卒中に罹患するリスクを予測するために機能的に組み合わされる。これらの値を組み合わせることにより、単一の値を計算でき、それ自体を予測に使用することができる。
【０２１７】
臨床的脳卒中リスクスコアは、当該技術分野において周知である。例えば、前記スコアは、その開示内容全体について参照により本明細書に組み込まれている、Ｋｉｒｃｈｈｏｆ  Ｐ．ｅｔ  ａｌ．、（Ｅｕｒｏｐｅａｎ  Ｈｅａｒｔ  Ｊｏｕｒｎａｌ  ２０１６；３７：２８９３−２９６２）に記載されている。一実施形態では、スコアは、ＣＨＡ２ＤＳ２−ＶＡＳｃスコアである。別の実施形態では、スコアは、ＣＨＡＤＳ２スコア（Ｇａｇｅ  ＢＦ．Ｅｔ  ａｌ．，ＪＡＭＡ，２８５（２２）（２００１），ｐｐ．２８６４−２８７０）およびＡＢＣスコア（Ｈｉｊａｚｉ  Ｚ．ｅｔ  ａｌ．，Ｌａｎｃｅｔ  ２０１６；３８７（１００３５）：２３０２−２３１１）である。
【０２１８】
本発明の方法はまた、臨床的リスクスコアを評価する工程を含み得る。したがって、脳卒中に罹患するリスクは、
（ａ）対象からの少なくとも１つのサンプルにおいて、バイオマーカーＳＰＯＮ１の量、および任意選択で、ナトリウム利尿ペプチド、ＥＳＭ−１（エンドカン）、Ａｎｇ２（アンジオポエチン２）およびＩＧＦＢＰ７（インスリン様成長因子結合タンパク質７）からなる群から選択される少なくとも１つのさらなるバイオマーカーの量を決定すること、および
（ｂ）前記対象の臨床的脳卒中リスクスコアを評価すること、および
（ｃ）工程ａ）およびｂ）の結果に基づいて脳卒中のリスクを予測すること、によって予測される。
【０２１９】
臨床的脳卒中リスクスコアの予測精度を改善する方法
本発明はさらに、対象の臨床的脳卒中リスクスコアの予測精度を改善する方法であって、
ａ）サンプル中のＳＰＯＮ−１の量を決定する工程、
ｂ）ＳＰＯＮ−１の量の値を臨床的脳卒中リスクスコアと組み合わせる工程を含み、それによって、前記臨床的脳卒中リスクスコアの予測精度を改善する方法に関する。
【０２２０】
この方法は、工程ｂ）の結果に基づいて上記臨床的脳卒中リスクスコアの予測精度を改善する、さらなる工程ｃ）を含んでもよい。
【０２２１】
好ましい実施形態では、前述の方法の工程ａ）およびｂ）は、以下の通りである。
ｃ）既知の臨床的脳卒中リスクスコアを有する対象からの少なくとも１つのサンプルにおいて、バイオマーカーＳＰＯＮ−１（スポンジン−１）の量、および任意選択で、ナトリウム利尿ペプチド、ＥＳＭ−１（エンドカン）、Ａｎｇ２（アンジオポエチン２）およびＩＧＦＢＰ７（インスリン様成長因子結合タンパク質７）からなる群から選択される少なくとも１つのさらなるバイオマーカーの量を決定する工程、および
ｄ）ＳＰＯＮ−１の量、および／またはナトリウム利尿ペプチド、ＥＳＭ−１、Ａｎｇ２、ＩＧＦＢＰ７を含む１つ以上のバイオマーカーの量の値を臨床的脳卒中リスクスコアと組み合わせ、それによって前記臨床的脳卒中リスクスコアの予測精度を改善する工程。
【０２２２】
本明細書での上記の定義および説明は、心房細動の評価方法、特に有害事象（脳卒中など）のリスクを予測する方法に関連して、好ましくは、上述の方法にも適用され、なお、例えば、対象は、既知の臨床的脳卒中リスクスコアを有する対象であることが想定される。あるいは、この方法は、臨床的脳卒中リスクスコアの値を取得することまたは提供することを含んでもよい。
【０２２３】
本発明によれば、ＳＰＯＮ−１の量は、臨床的脳卒中リスクスコアと組み合わされる。これは、好ましくは、ＳＰＯＮ−１の量の値が臨床的脳卒中リスクスコアと組み合わされることを意味する。その結果、これらの値を機能的に組み合わせて、臨床的脳卒中リスクスコアの予測精度を向上させる。
【０２２４】
さらに、本発明は
ｉ）バイオマーカーＳＰＯＮ−１、および任意選択で、ナトリウム利尿ペプチド、ＥＳＭ−１（エンドカン）、Ａｎｇ２およびＩＧＦＢＰ７（インスリン様成長因子結合タンパク質７）からなる群から選択される少なくとも１つのバイオマーカー、ならびに／または
ｉｉ）ＳＰＯＮ−１に特異的に結合する少なくとも１つの薬剤、および任意選択で、ナトリウム利尿ペプチドに特異的に結合する薬剤、ＥＳＭ−１に特異的に結合する薬剤、Ａｎｇ２に特異的に結合する薬剤およびＩＧＦＢＰ７に特異的に結合する薬剤からなる群から選択される少なくとも１つのさらなる薬剤の、
ａ）心房細動の評価、ｂ）対象の脳卒中のリスクの予測、およびｃ）臨床的脳卒中リスクスコアの予測精度の改善のための使用（特に、例えば、対象からのサンプルでのインビトロ使用）に関する。
【０２２５】
好ましくは、前述の使用は、インビトロ使用である。さらに、検出剤は、好ましくはモノクローナル抗体などの抗体（またはその抗原結合断片）である。
【０２２６】
本発明はまた、キットに関する。一実施形態では、本発明のキットは、ＳＰＯＮ−１に特異的に結合する薬剤と、ナトリウム利尿ペプチドに特異的に結合する薬剤、ＥＳＭ−１に特異的に結合する薬剤、Ａｎｇ２に特異的に結合する薬剤およびＩＧＦＢＰ７に特異的に結合する薬剤からなる群から選択される少なくとも１つのさらなる薬剤とを含む。
【０２２７】
好ましくは、前記キットは、本発明の方法、すなわち心房細動を評価するための方法を実行するために構成されている。任意選択で、前記キットは、前記方法を実行するための説明書を含む。
【０２２８】
本明細書で使用される「キット」という用語は、好ましくは、別個にまたは単一の容器内に提供される、前述の構成要素の集合を指す。容器はまた、本発明の方法を実施するための説明書を含む。これらの説明書は、マニュアルの形式であってもよく、または本発明の方法で言及される計算および比較を実行でき、コンピュータまたはデータ処理装置で実施されると、それに応じて評価または診断を確立するコンピュータプログラムコードによって提供されてもよい。コンピュータプログラムコードは、光記憶媒体（例えば、コンパクトディスク）などのデータ記憶媒体もしくは装置上に、またはコンピュータもしくはデータ処理装置に直接提供されてもよい。さらに、キットは、好ましくは、キャリブレーション目的で、バイオマーカーＳＰＯＮ−１の標準量を含み得る。好ましい実施形態では、キットは、キャリブレーション目的で、本明細書で言及される少なくとも１つのさらなるバイオマーカー（ナトリウム利尿ペプチド、またはＥＳＭ−１など）の標準量をさらに含む。
【０２２９】
一実施形態では、前記キットは、心房細動を評価するため、またはリスクをインビトロで予測するために使用される。
【図面の簡単な説明】
【０２３０】
図は以下を示す。
【図１】マッピング研究におけるＳＰＯＮ−１の測定：探索的ＡＦｉｂパネル：開胸手術を受ける心房細動の病歴を有する患者および発作性ＡＦ、持続性ＡＦまたはＳＲの心外膜マッピング（マッピング研究）。循環ＳＰＯＮ−１レベルを評価した（上：箱ひげ図、下：ＲＯＣ曲線）。
【図２】Ｂｅａｔ  ＡＦ研究におけるＳＰＯＮ−１の測定：脳卒中の転帰を伴うＡＦｉｂパネル：異なるタイプの心房細動、発作性ＡＦ、持続性ＡＦ、および永続性ＡＦの患者。循環ＳＰＯＮ−１レベルを評価した。箱ひげ図は、ＢＥＡＴ−ＡＦ研究におけるＡＦタイプ別のＳＰＯＮ−１の分布を示す。
【図３】脳卒中のリスクの予測ＳＰＯＮ−１（Ｂｅａｔ  ＡＦ研究）：カプランマイヤー曲線は、ＳＰＯＮ−１値＜＝１．４ＮＰＸ、または＞１．４ＮＰＸを有することで定義された２つのグループの、脳卒中のない生存率を示す。ＳＰＯＮ−１の力価の上昇は、脳卒中のリスクの増加に関連する。ＳＰＯＮ−１は、いくつかの臨床的リスクスコアのＣ−ｉｎｄｅｘを改善した。
【図４】経口抗凝固療剤の摂取によって分類した、ＢＥＡＴ−ＡＦ研究で観察されたＳＰＯＮ−１値：リバロキサバンを使用する患者は、残りの患者と比較して、ＳＰＯＮ−１の濃度の低下を示す。
【実施例】
【０２３１】
本発明は、以下の実施例によって単に例示されるものである。上記実施例は、いかなる場合でも、本発明の範囲を限定する方法で解釈されないものとする。
【０２３２】
実施例１：循環ＳＰＯＮ−１によるＡＦの評価
開胸手術を受けている患者に関連するマッピング研究。サンプルは、麻酔および手術の前に採取した。患者は、多電極アレイを使用した高密度心外膜マッピング（高密度マッピング）を使用して電気生理学的に特徴付けた。
【０２３３】
循環ＳＰＯＮ−１レベルは、１６人の持続性心房細動患者、および（年齢、性別、併存疾患で）可能な限り一致させた３０人の対照で決定した。ＳＰＯＮ−１は、マッピング研究のサンプルで決定した。
【０２３４】
測定は、３０人の洞調律（ＳＲ）患者および１６人の持続性心房細動（ｐｅｒｓＡＦ）患者で行った。
【０２３５】
図１は、ＳＲ患者と比較して、ｐｅｒｓＡＦ患者でＳＰＯＮ−１が有意に上昇していることを示す（ＡＵＣ  ０．８７）。図１の箱ひげ図は、ＳＲ患者およびｐｅｒｓＡＦ患者のＳＰＯＮ−１分布を示す。ＲＯＣ曲線は、ＳＲ患者とｐｅｒｓＡＦ患者とを区別するＳＰＯＮ−１の診断能力を示す。したがって、ＳＰＯＮ−１は、ｐｅｒｓＡＦの診断を支援するために使用できる。ＳＰＯＮ−１の高い値は、ｐｅｒｓＡＦの可能性が高いことを示す。
【０２３６】
さらに、ＢＥＡＴ−ＡＦ研究（実施例２に記載）では、ＳＰＯＮ−１濃度は、心房細動の重症度と相関した。図２は、ＢＥＡＴ−ＡＦ研究におけるＡＦタイプ別のＳＰＯＮ−１の分布を示す。
【０２３７】
実施例２：脳卒中の予測
分析アプローチ
脳卒中の発症リスクを予測する循環ＳＰＯＮ−１の能力は、心房細動が確認された患者の、予想される多中心的レジストリ（ｍｕｌｔｉｃｅｎｔｒｉｃ  ｒｅｇｉｓｔｒｙ）において評価された（Ｃｏｎｅｎ  Ｄ．，Ｆｏｒｕｍ  Ｍｅｄ  Ｓｕｉｓｓｅ  ２０１２；１２：８６０−８６２）。ＳＰＯＮ−１は、Ｂｏｒｇａｎ（２０００）に記載されている階層化症例コホートデザインを使用して測定した。
【０２３８】
追跡中に脳卒中（「事象」）を経験した７０人の患者のそれぞれについて、１人の見合う対照を選択した。対照は、年齢、性別、高血圧の病歴、心房細動のタイプ、心不全の病歴（ＣＨＦの病歴）の人口統計学的および臨床的情報に基づいて一致させた。
【０２３９】
ＳＰＯＮ−１の結果は、事象を有する６７人の患者および事象を有さない６６人の患者で利用可能であった。
【０２４０】
ＳＰＯＮ−１は、Ｏｌｉｎｋプラットフォームを使用して測定されたため、絶対濃度値は入手できず、報告できない。結果は、任意の信号スケール（ＮＰＸ）で報告する。
【０２４１】
ＳＰＯＮ−１の一変量予後値を定量化するために、比例ハザードモデルを転帰脳卒中で使用した。
【０２４２】
ＳＰＯＮ−１の一変量予後診断性能は、ＳＰＯＮ−１によって与えられた予後情報の２つの異なる組み込みによって評価した。
【０２４３】
最初の比例ハザードモデルには、中央値（１．４  ＮＰＸ）で二値化されたＳＰＯＮ−１が含まれていたため、ＳＰＯＮ−１が中央値以下の患者と、ＳＰＯＮ−１が中央値を超える患者とでリスクを比較した。
【０２４４】
２番目の比例ハザードモデルは、元のＳＰＯＮ−１レベルを含んだが、ｌｏｇ２スケールに変換した。ｌｏｇ２変換は、モデルキャリブレーションを改善するために実行された。
【０２４５】
症例対照コホートのナイーブ比例ハザードモデルからの推定値には偏りがあるため（症例と対照との比率の変化による）、加重比例ハザードモデルを使用した。重みは、Ｍａｒｋ（２００６）で説明されているように、症例対照コホートに選択される各患者の逆確率に基づく。
【０２４６】
二分されたベースラインＳＰＯＮ−１測定値（＜＝１．４  ＮＰＸか、＞  １．４  ＮＰＸか）に基づいて、２つのグループの絶対生存率の推定値を得るために、Ｍａｒｋ（２００６）に記載されているようにカプランマイヤープロットの加重バージョンを作成した。
【０２４７】
ＳＰＯＮ−１の予後値が、既知の臨床的および人口統計学的リスク因子から独立しているかどうかを評価するために、年齢、性別、ＣＨＦ病歴、高血圧の病歴、脳卒中／ＴＩＡ／血栓塞栓症の病歴、血管疾患の病歴、糖尿病の病歴を追加して含む、加重比例コックスモデルが、計算された。
【０２４８】
脳卒中の予後に関する既存のリスクスコアを改善するＳＰＯＮ−１の能力を評価するために、ＣＨＡＤＳ２、ＣＨＡ２ＤＳ２−ＶＡＳｃおよびＡＢＣスコアをＳＰＯＮ−１（ｌｏｇ２変換）によって拡張した。拡張は、ＳＰＯＮ−１およびそれぞれのリスクスコアを独立変数として含む、分割したハザードモデルを作成することによって行った。
【０２４９】
ＣＨＡＤＳ２、ＣＨＡ２ＤＳ２−ＶＡＳｃ、およびＡＢＣスコアのｃ−インデックスを、これらの拡張モデルのｃ−インデックスと比較した。症例コホート設定でのｃ−ｉｎｄｅｘの計算には、Ｇａｎｎａ（２０１１）で提案されているように、ｃ−ｉｎｄｅｘの加重バージョンを使用した。
【０２５０】
結果
表１は、二値化またはｌｏｇ２変換されたＳＰＯＮ−１を含む、２つの一変量加重比例ハザードモデルの結果を示す。
【０２５１】
脳卒中を経験するリスクとＳＰＯＮ−１のベースライン値との関連は、両モデルともに非常に有意である。
【０２５２】
二値化されたＳＰＯＮ−１のハザード比は、ベースラインＳＰＯＮ−１＞＝１．４  ＮＰＸの患者グループが、ベースラインＳＰＯＮ−１＜１．４  ＮＰＸの患者グループに対して、脳卒中のリスクが１．５１倍高くなることを意味する。これは、脳卒中事象の発生までの生存確率を経時的に示すカプランマイヤー曲線を示す図３でも認識できる。
【０２５３】
しかしながら、ｐ値が０．０５を超えていることは、この症例での二値化が最適ではないことを示している可能性がある。
【０２５４】
ｌｏｇ２変換線形リスク予測因子としてＳＰＯＮ−１を含む比例ハザードモデルの結果は、ｌｏｇ２変換値ＳＰＯＮ−１が脳卒中を経験するリスクに比例することを示唆する。ハザード比５．２２は、ＳＰＯＮ−１の２倍の増加が、脳卒中のリスクの５．２２の増加に関連すると解釈され得る。
【０２５５】
これに関連して、ＳＰＯＮ−１レベルが特定の経口抗凝固剤（ＯＡＫ）の摂取量と相関していることに注目するのは、興味深い。図４は、リバロキサバンを使用している患者が、残りの患者と比較してＳＰＯＮ−１の濃度が低いことを示す。しかし、数名のリバロキサバンを摂取する患者も、１．４  ＮＰＸを超えるＳＰＯＮ−１値を有する。これは、ＳＰＯＮ−１を使用してＯＡＫ摂取の有効性をモニタリングできることを示している可能性がある。
【表１】
2022501577.tif 000003
【０２５６】
表２は、臨床的および人口統計学的変数を組み合わせたＳＰＯＮ−１（ｌｏｇ２変換）を含む、比例ハザードモデルの結果を示す。これは、関連する臨床的および人口統計学的変数の予後効果を調整すると、ＳＰＯＮ−１の予後効果が安定したままであることを明確に示す。
【表２】
2022501577.tif 000004
【０２５７】
表３は、ＣＨＡＤＳ２スコアにＳＰＯＮ−１（ｌｏｇ２変換）を組み合わせた、加重比例ハザードモデルの結果を示す。また、このモデルでは、ＳＰＯＮ−１は、予後情報をＣＣＨＡＤＳ２スコアに追加できる。
【表３】
2022501577.tif 000005
【０２５８】
表４は、ＣＨＡ２ＤＳ２−ＶＡＳｃスコアにＳＰＯＮ−１（ｌｏｇ２変換）を組み合わせた、加重比例ハザードモデルの結果を示す。また、このモデルでは、ＳＰＯＮ−１は、予後情報をＣＨＡ２ＤＳ２−ＶＡＳｃスコアに追加できる。
【表４】
2022501577.tif 000006
【０２５９】
表５は、ＡＢＣスコアにＳＰＯＮ−１（ｌｏｇ２変換）を組み合わせた、加重比例ハザードモデルの結果を示す。また、このモデルでは、ＳＰＯＮ−１は、予後情報をリスクスコアに追加できる。
【表５】
2022501577.tif 000007
【０２６０】
表６は、ＳＰＯＮ−１（ｌｏｇ２）単独、ＣＨＡ２ＤＳ２−ＶＡＳｃスコア、およびＣＨＡ２ＤＳ２−ＶＡＳｃスコアとＳＰＯＮ−１との組み合わせの推定Ｃ−ｉｎｄｅｘ、ならびにＣＨＡＤＳ２、ＡＢＣスコア、およびそれらのＳＰＯＮ−１との組み合わせの推定Ｃ−ｉｎｄｅｘを示す。
【０２６１】
ＳＰＯＮ−１の追加により、３つのリスクモデルすべてのｃ−ｉｎｄｅｘが改善されることがわかる。改善は、ＣＨＡＤＳ２、ＣＨＡ２ＤＳ２−ＶＡＳｃ、ＡＢＣスコアでそれぞれ０．０１５８、０．０１６４、０．０４１０である。
【０２６２】
表６は、ＮＴｐｒｏＢＮＰ単独、ＥＳＭ−１単独、Ａｎｇ−２単独、ＩＧＦＢＰ−７単独、ＣＨＡ２ＤＳ２−ＶＡＳｃスコア、およびＣＨＡ２ＤＳ２−ＶＡＳｃスコアとＮＴｐｒｏＢＮＰ（ｌｏｇ２）、ＥＳＭ−１（ｌｏｇ２）、ＡＮＧ−２（ｌｏｇ２）、ＩＧＦＢＰ−７（ｌｏｇ２）を組み合わせた、症例コホート選択に関する加重比例ハザードモデルの推定ｃ−ｉｎｄｅｘを示す。すべてのバイオマーカーを追加すると、ＣＨＡ２ＤＳ２−ＶＡＳｃスコアのｃ−ｉｎｄｅｘが改善することがわかる。ＣＨＡ２ＤＳ２−ＶＡＳｃスコアの改善は、ＮＴｐｒｏＢＮＰ、ＥＳＭ−１、Ａｎｇ−２、ＩＧＦＢＰ−７で、０．００２、０．０６４、０．０３６、０．００６である。
【０２６３】
この文脈では、ＳＰＯＮ−１と確立されたマーカー（ＮＴｐｒｏＢＮＰおよびＣｈａｄｓＶａｓｃ）との相関が、ＥＳＭ−１との相関と同様に低いことは興味深い。ａ）ＳＰＯＮ−１とＮＴｐｒｏＢＮＰとの相関係数＝０．４４、ｂ）ＳＰＯＮ−１とＥＳＭ１との相関係数＝０．３７、ｃ）ＳＰＯＮ−１とＣＨＡＤｓＶＡＳｃとの相関係数＝０．２５。これらのデータは、ＳＰＯＮ−１が補足情報を提供し、ＳＰＯＮ−１および／またはＮＴｐｒｏＢＮＰおよび／またはＥＳＭ１および／またはＣＨＡＤｓＶＡＳｃマーカーの組み合わせが、各マーカー単独と比較して、脳卒中の高いリスクを有する患者の検出を改善し得ることを示唆している。
【表６】
2022501577.tif 000008
【０２６４】
症例研究
心房細動のない患者においても虚血性脳卒中のリスクを知り、低減することに関心が高まっている（Ｙａｏ  Ｘ  ｅｔ  ａｌ、Ａｍ  Ｈｅａｒｔ  Ｊ．２０１８  Ｍａｙ；１９９：１３７−１４３）。脳卒中のリスクが高いこれらの患者を特定することは、それらを薬物研究（経口抗凝固療法）に含め、最適な治療戦略を確立するために不可欠である。例えば、脳卒中のリスクが高く、かつ心房細動のないこれらの患者が、どのＣＨＡ２ＤＳ２−ＶＡＳｃレベルで、どの用量で経口抗凝固療法を受けるべきかの臨床ガイダンスが不十分である（Ｙａｏ  Ｘ  ｅｔ  ａｌ、Ａｍ  Ｈｅａｒｔ  Ｊ．２０１８  Ｍａｙ；１９９：１３７−１４３）。例えば、ＣＨＡ２ＤＳ２−ＶＡＳｃスコアによって、心房細動のない患者でも虚血性脳卒中の発生率は予測されるが、絶対事象率は低くなる（Ｍｉｔｃｈｅｌｌ  ＬＢ  ｅｔ  ａｌ、Ｈｅａｒｔ．２０１４；１００：１５２４−３０）。そのため、ＳＰＯＮ−１などの追加的な脳卒中リスクマーカーが脳卒中リスクの評価に役立ち、経口抗凝固療法のガイダンスを提供する。
【０２６５】
高血圧で心房細動の病歴のない７０歳の男性患者が洞調律を示す。ＳＰＯＮ−１は、患者から採取したＥＤＴＡ血漿サンプルで決定する。臨床的情報（高齢および高血圧）は、特定の脳卒中リスクを示すが、ＳＰＯＮ−１値も参照値を超えて測定される（高い脳卒中リスクの指標である）。結果として、患者は抗凝固療法を受けることができる。
【０２６６】
心房細動の病歴のない７５歳の女性患者が、診療所での診察を依頼する。患者は洞調律を示すが、構造的心臓疾患と診断される。脳卒中の病歴および全体的に高いＣＨＡ２ＤＳ２−ＶＡＳｃスコアのため、患者は、直ちに経口抗凝固療法（低用量）を受ける。２回目の来院時の残存脳卒中リスクを判断し、最終的な薬剤投与量の変更を結論付けるために、患者から採取した血清サンプルでＳＰＯＮ−１を測定する。観測されたＳＰＯＮ−１値は、参照値を上回る。他のリスクパラメータ（脳卒中の病歴）と組み合わせたＳＰＯＮ−１力価の上昇は、残存脳卒中リスクが、出血リスクよりも高いことを示す（他の臨床情報で評価）。結果として、抗凝固療法の投与量が増加される。
【０２６７】
糖尿病で駆出率の低下を伴う心不全の６８歳の肥満女性患者が、息切れの急性症状を示す。以前の来院では、患者に心房細動の病歴はない。全体的に高いＣＨＡ２ＤＳ２−ＶＡＳＣリスクスコアにより、医師は、心房細動がなくても経口抗凝固療法（低用量）を開始することを決定した。ＳＰＯＮ−１レベルは、抗凝固療法の開始前後に決定する。患者は現在、抗凝固療法が有効であるか、まだ必要であるかどうか疑問に思っている。脳卒中の現在のリスクを特定するために、患者から採取されたＥＤＴＡサンプル中のＳＰＯＮ−１を決定する。観察されたＳＰＯＮ−１値は、参照値を下回る。ＳＰＯＮ−１力価の低下は、有効な抗凝固療法の指標であり、抗凝固療法は継続される。
【図１】
2022501577.tif 000009
【図２】
2022501577.tif 000010
【図３】
2022501577.tif 000011
【図４】
2022501577.tif 000012
【手続補正書】
【提出日】令和2年5月12日(2020.5.12)
【手続補正１】
【補正対象書類名】特許請求の範囲
【補正対象項目名】全文
【補正方法】変更
【補正の内容】
【特許請求の範囲】
【請求項１】
ヒト対象の心房細動を評価するための方法であって、
ａ）前記ヒト対象からの少なくとも１つの血液、血清、または血漿サンプルにおいて、ＳＰＯＮ−１（スポンジン−１）ポリペプチドの量、および任意選択で、ナトリウム利尿ペプチド、ＥＳＭ−１（エンドカン）、Ａｎｇ２（アンジオポエチン２）およびＩＧＦＢＰ７（インスリン様成長因子結合タンパク質７）からなる群から選択される少なくとも１つのさらなるバイオマーカーの量を決定する工程、および
ｂ）前記ＳＰＯＮ−１ポリペプチドの量をＳＰＯＮ−１の参照量と比較する工程、および任意選択で、前記少なくとも１つのさらなるバイオマーカーの量を前記少なくとも１つのさらなるバイオマーカーの参照量と比較する工程を含み、それによって心房細動を評価する、方法。
【請求項２】
前記心房細動の評価が心房細動の診断であり、特に、前記参照量を超える前記ＳＰＯＮ−１ポリペプチドの量、および任意選択で前記少なくとも１つのさらなるバイオマーカーの量が、心房細動に罹患している対象の指標であり、かつ／または前記参照量以下の前記ＳＰＯＮ−１ポリペプチドの量、および任意選択で前記少なくとも１つのさらなるバイオマーカーの量が、心房細動に罹患していない対象の指標である、請求項１に記載の方法。
【請求項３】
前記対象が心房細動に罹患しており、前記心房細動の評価が発作性心房細動と持続性心房細動との区別であり、特に、前記参照量を超える前記ＳＰＯＮ−１ポリペプチドの量、および任意選択で前記少なくとも１つのさらなるバイオマーカーの量が、持続性心房細動に罹患している対象の指標であり、かつ／または前記参照量以下の前記ＳＰＯＮ−１ポリペプチドの量、および任意選択で前記少なくとも１つのさらなるバイオマーカーの量が、発作性心房細動に罹患している対象の指標である、請求項１に記載の方法。
【請求項４】
前記心房細動の評価が、心房細動に関連する有害事象のリスクの予測であり、前記心房細動に関連する有害事象が、心房細動の再発および／または脳卒中である、請求項１に記載の方法。
【請求項５】
前記参照量を超える前記ＳＰＯＮ−１ポリペプチドの量、および任意選択で前記少なくとも１つのさらなるバイオマーカーの量が、心房細動に関連する有害事象に罹患するリスクがある対象の指標であり、かつ／または前記参照量以下の前記ＳＰＯＮ−１ポリペプチドの量、および任意選択で前記少なくとも１つのさらなるバイオマーカーの量が、心房細動に関連する有害事象に罹患するリスクがない対象の指標である、請求項４に記載の方法。
【請求項６】
前記心房細動の評価が心電図検査（ＥＣＧ）を受けるべき対象の特定であるか、または前記心房細動の評価が心房細動の治療の評価、例えば抗凝固療法の評価である、請求項１に記載の方法。
【請求項７】
ヒト対象の脳卒中のリスクを予測する方法であって、
（ａ）前記ヒト対象からの少なくとも１つの血液、血清、または血漿サンプルにおいて、ＳＰＯＮ−１（スポンジン−１）ポリペプチドの量、および任意選択で、ナトリウム利尿ペプチド、ＥＳＭ−１（エンドカン）、Ａｎｇ２（アンジオポエチン２）およびＩＧＦＢＰ７（インスリン様成長因子結合タンパク質７）からなる群から選択される少なくとも１つのさらなるバイオマーカーの量を決定する工程、および
（ｂ）前記ヒト対象の臨床的脳卒中リスクスコアを評価する工程、および
（ｃ）工程ａ）およびｂ）の結果に基づいて、脳卒中のリスクを予測する工程を含む、方法。
【請求項８】
ヒト対象の臨床的脳卒中リスクスコアの予測精度を改善する方法であって、
ａ）既知の臨床的脳卒中リスクスコアを有するヒト対象からの少なくとも１つの血液、血清または血漿サンプルにおいて、ＳＰＯＮ−１（スポンジン−１）ポリペプチドの量、および任意選択で、ナトリウム利尿ペプチド、ＥＳＭ−１（エンドカン）、Ａｎｇ２（アンジオポエチン２）およびＩＧＦＢＰ７（インスリン様成長因子結合タンパク質７）からなる群から選択される少なくとも１つのさらなるバイオマーカーの量を決定する工程、および
ｂ）前記ＳＰＯＮ−１ポリペプチドの量および／またはナトリウム利尿ペプチド、ＥＳＭ−１、ＡＮＧＴ２、ＩＧＦＢＰ７を含む１つ以上のバイオマーカーの量の値を前記臨床的脳卒中リスクスコアと組み合わせる工程を含み、それによって前記臨床脳卒中リスクスコアの予測精度を改善する、方法。
【請求項９】
心房細動の評価を支援する方法であって、
ａ）ヒト対象からの少なくとも１つの血液、血清、または血漿サンプルを提供する工程、
ｂ）工程ａ）で提供された前記少なくとも１つの血液、血清、または血漿サンプルにおいて、ＳＰＯＮ−１（スポンジン−１）ポリペプチドの量、および任意選択で、ナトリウム利尿ペプチド、ＥＳＭ−１（エンドカン）、Ａｎｇ２およびＩＧＦＢＰ７（インスリン様成長因子結合タンパク質７）からなる群から選択される少なくとも１つのさらなるバイオマーカーの量を決定する工程、および
ｃ）前記ＳＰＯＮ−１ポリペプチドの決定された量に関する情報、および任意選択で、前記少なくとも１つのさらなるバイオマーカーの決定された量に関する情報を医師に提供する工程を含み、それによって心房細動の評価を支援する、方法。
【請求項１０】
ヒト対象の心房細動の評価を支援するための方法であって、
ａ）ＳＰＯＮ−１ポリペプチドのアッセイ、および任意選択で、ナトリウム利尿ペプチド、ＥＳＭ−１（エンドカン）、Ａｎｇ２およびＩＧＦＢＰ７（インスリン様成長因子結合タンパク質７）からなる群から選択されるさらなるバイオマーカーの少なくとも１つのさらなるアッセイを提供する工程、および
ｂ）心房細動の評価での前記アッセイによって得られた、または得られ得るアッセイ結果の使用についての指示を提供する工程を含む、方法。
【請求項１１】
心房細動を評価するためのコンピュータ実装方法であって、
ａ）処理ユニットで、ヒト対象からの血液、血清、または血漿サンプルにおいて決定されたＳＰＯＮ−１ポリペプチドの量の値、および任意選択で、ナトリウム利尿ペプチド、ＥＳＭ−１（エンドカン）、Ａｎｇ２およびＩＧＦＢＰ７（インスリン様成長因子結合タンパク質７）からなる群から選択される少なくとも１つのさらなるバイオマーカーの量の少なくとも１つのさらなる値を受けとること、
ｂ）前記処理ユニットによって、工程ａ）で受信した１つまたは複数の値を１つまたは複数の参照と比較すること、および
ｃ）比較工程ｂ）に基づいて心房細動を評価することを含む、方法。
【請求項１２】
ヒトＳＰＯＮ−１ポリペプチドに特異的に結合する薬剤と、ナトリウム利尿ペプチドに特異的に結合する薬剤、ＥＳＭ−１に特異的に結合する薬剤、Ａｎｇ２に特異的に結合する薬剤およびＩＧＦＢＰ７に特異的に結合する薬剤からなる群から選択される少なくとも１つのさらなる薬剤とを含む、キット。
【請求項１３】
インビトロ使用であって、
ｉ）ＳＰＯＮ−１ポリペプチド、および任意選択で、ナトリウム利尿ペプチド、ＥＳＭ−１（エンドカン）、Ａｎｇ２およびＩＧＦＢＰ７（インスリン様成長因子結合タンパク質７）からなる群から選択される少なくとも１つのさらなるバイオマーカー、ならびに／または
ｉｉ）前記ＳＰＯＮ−１ポリペプチドに特異的に結合する薬剤、および任意選択で、ナトリウム利尿ペプチドに特異的に結合する薬剤、ＥＳＭ−１に特異的に結合する薬剤、Ａｎｇ２に特異的に結合する薬剤およびＩＧＦＢＰ７に特異的に結合する薬剤からなる群から選択される少なくとも１つのさらなる薬剤の、
ヒト対象からの血液、血清または血漿サンプル中における、
ａ）心房細動の評価、ｂ）対象の脳卒中のリスクの予測、およびｃ）臨床的脳卒中リスクスコアの予測精度の改善のための、インビトロ使用。
【国際調査報告】
2022501577.tif 000013
2022501577.tif 000014
2022501577.tif 000015